(57)【特許請求の範囲】
【請求項１】
第１のダウンリンクビームペアセットが無効であることを検出したとき、通信装置によって、第１のアップリンクチャネルを通じて第１のアップリンクビームペアセットを用いて時点ｎにおいてネットワークデバイスへ第１のアップリンク信号を送信するステップであって、前記第１のアップリンク信号は、前記第１のダウンリンクビームペアセットが無効であることを前記ネットワークデバイスに通知するために使用され、前記第１のアップリンク信号は、ビーム回復要求である、ステップと、
前記通信装置によって、第１のダウンリンクチャネルを通じて第２のダウンリンクビームペアセットを用いて前記ネットワークデバイスにより送信された第１のダウンリンク信号を時点ｎ＋ｋにおいて検出して、第１の検出結果を取得するステップであって、前記第１のダウンリンク信号は、前記ネットワークデバイスが前記第１のアップリンク信号を受信するということを知らせるために使用され、前記第１のダウンリンク信号は、ダウンリンク制御チャネル上の信号であり、前記第１のダウンリンクチャネルは、前記ダウンリンク制御チャネルである、ステップと、
を含み、
前記通信装置によって、前記第１のダウンリンクチャネルを通じて前記第２のダウンリンクビームペアセットを用いて前記ネットワークデバイスにより送信された前記第１のダウンリンク信号を前記時点ｎ＋ｋにおいて検出して、前記第１の検出結果を取得するステップは、
前記通信装置によって、前記第２のダウンリンクビームペアセットに基づいて前記時点ｎ＋ｋにおいて前記ダウンリンク制御チャネル上でブラインド検出を実行して、前記第１の検出結果を取得するステップであって、前記第２のダウンリンクビームペアセットは、ビーム回復のために使用される事前構成されたビームペアセットであり、前記第２のダウンリンクビームペアセットは、前記第１のダウンリンクビームペアセットとは異なる、ステップを含む、
リンク再確立方法。
【請求項２】
前記第１のダウンリンク信号は、前記第１のアップリンク信号に含まれるコンテンツに基づいて決定される
請求項１に記載の方法。
【請求項３】
前記ダウンリンク制御チャネルは、第１の測定パイロットの構成情報を含み、
前記通信装置によって、前記第２のダウンリンクビームペアセットに基づいて前記時点ｎ＋ｋにおいて前記ダウンリンク制御チャネル上で前記ブラインド検出を実行して、前記第１の検出結果を取得する前記ステップは、
前記通信装置によって、前記第１の測定パイロットの前記構成情報に基づいて前記第１の測定パイロットを測定して、前記第１の検出結果を取得するステップを含み、前記第１の測定パイロットは、ビーム測定パイロットであり、前記第１の検出結果は、ターゲットダウンリンクビームペアセットに関する情報である、
請求項１又は２に記載の方法。
【請求項４】
前記第１のアップリンク信号は、第１のターゲットダウンリンクビームペアセットに関する情報を含み、前記第２のダウンリンクビームペアセットは、前記第１のターゲットダウンリンクビームペアセットであり、
前記ダウンリンク制御チャネルは、ＮＲ−ＰＤＣＣＨであり、
前記通信装置によって、前記第１のダウンリンクチャネルを通じて前記第２のダウンリンクビームペアセットを用いて前記ネットワークデバイスにより送信された前記第１のダウンリンク信号を前記時点ｎ＋ｋにおいて検出して、前記第１の検出結果を取得する前記ステップは、
前記通信装置によって、前記第１のターゲットダウンリンクビームペアセットに基づいて前記時点ｎ＋ｋにおいて前記ダウンリンク制御チャネル上でブラインド検出を実行して、前記第１の検出結果を取得するステップを含み、前記第１のターゲットダウンリンクビームペアセットは、前記第１のダウンリンクビームペアセットとは異なる、
請求項１又は２に記載の方法。
【請求項５】
通信装置によって、第１のアップリンクビームペアセットを用いて第１のアップリンクチャネル上で第１のアップリンク信号を受信するステップであって、前記第１のアップリンク信号は、第１のダウンリンクビームペアセットが無効であることをネットワークデバイスに通知するために使用され、前記第１のアップリンク信号は、ビーム回復要求である、ステップと、
前記通信装置によって、第１のダウンリンクチャネルを通じて第２のダウンリンクビームペアセットを用いて端末へ第１のダウンリンク信号を送信するステップであって、前記第１のダウンリンク信号は、前記ネットワークデバイスが前記第１のアップリンク信号を受信するということを知らせるために使用され、前記第１のダウンリンク信号は、ダウンリンク制御チャネル上の信号であり、前記第１のダウンリンクチャネルは、前記ダウンリンク制御チャネルであり、前記第２のダウンリンクビームペアセットは、ビーム回復のために使用される事前構成されたビームペアセットであり、前記第２のダウンリンクビームペアセットは、前記第１のダウンリンクビームペアセットとは異なる、ステップと
を含む、リンク再確立方法。
【請求項６】
前記第１のダウンリンク信号は、前記第１のアップリンク信号に含まれるコンテンツに基づいて決定される、
請求項５に記載の方法。
【請求項７】
前記第１のアップリンク信号は、第１のターゲットダウンリンクビームペアセットに関する情報を含み、前記第２のダウンリンクビームペアセットは、前記第１のターゲットダウンリンクビームペアセットである、
請求項５又は６に記載の方法。
【請求項８】
前記ダウンリンク制御チャネルは、ＮＲ−ＰＤＣＣＨであり、
前記ダウンリンク制御チャネルは、第１の測定パイロットの構成情報を含む、
請求項５〜７のいずれか１項に記載の方法。
【請求項９】
第１のダウンリンクビームペアセットが無効であることが検出されたとき、第１のアップリンクチャネルを通じて第１のアップリンクビームペアセットを用いて時点ｎにおいてネットワークデバイスへ第１のアップリンク信号を送信するように構成される送信ユニットであって、前記第１のアップリンク信号は、前記第１のダウンリンクビームペアセットが無効であることを前記ネットワークデバイスに通知するために使用され、前記第１のアップリンク信号は、ビーム回復要求である、送信ユニットと、
第１のダウンリンクチャネルを通じて第２のダウンリンクビームペアセットを用いて前記ネットワークデバイスにより送信された第１のダウンリンク信号を時点ｎ＋ｋにおいて検出して、第１の検出結果を取得するように構成される検出ユニットであって、前記第１のダウンリンク信号は、前記ネットワークデバイスが前記第１のアップリンク信号を受信するということを知らせるために使用され、前記第１のダウンリンク信号は、ダウンリンク制御チャネル上の信号であり、前記第１のダウンリンクチャネルは、前記ダウンリンク制御チャネルである、検出ユニットと
を含み、
前記検出ユニットは、前記第２のダウンリンクビームペアセットに基づいて前記時点ｎ＋ｋにおいて前記ダウンリンク制御チャネル上でブラインド検出を実行し、前記第１の検出結果を取得するように構成され、前記第２のダウンリンクビームペアセットは、ビーム回復のために使用される事前構成されたビームペアセットであり、前記第２のダウンリンクビームペアセットは、前記第１のダウンリンクビームペアセットとは異なる、
通信装置。
【請求項１０】
前記第１のダウンリンク信号は、前記第１のアップリンク信号に含まれるコンテンツに基づいて決定される、
請求項９に記載の装置。
【請求項１１】
前記ダウンリンク制御チャネルは、第１の測定パイロットの構成情報を含み、
前記検出ユニットは、
前記第１の測定パイロットの前記構成情報に基づいて前記第１の測定パイロットを測定して、前記第１の検出結果を取得するように特に構成され、前記第１の測定パイロットは、ビーム測定パイロットであり、前記第１の検出結果は、ターゲットダウンリンクビームペアセットに関する情報である、
請求項９又は１０に記載の装置。
【請求項１２】
前記第１のアップリンク信号は、第１のターゲットダウンリンクビームペアセットに関する情報を含み、前記第２のダウンリンクビームペアセットは、前記第１のターゲットダウンリンクビームペアセットであり、
前記ダウンリンク制御チャネルは、ＮＲ−ＰＤＣＣＨであり、
前記検出ユニットは、
前記第１のターゲットダウンリンクビームペアセットに基づいて前記時点ｎ＋ｋにおいて前記ダウンリンク制御チャネル上でブラインド検出を実行して、前記第１の検出結果を取得するように特に構成され、前記第１のターゲットダウンリンクビームペアセットは、前記第１のダウンリンクビームペアセットとは異なる、
請求項９又は１０に記載の装置。
【請求項１３】
通信装置であって、
第１のアップリンクビームペアセットを用いて第１のアップリンクチャネル上で第１のアップリンク信号を受信するように構成される受信ユニットであって、前記第１のアップリンク信号は、第１のダウンリンクビームペアセットが無効であることをネットワークデバイスに通知するために使用され、前記第１のアップリンク信号は、ビーム回復要求である、受信ユニットと、
第１のダウンリンクチャネルを通じて第２のダウンリンクビームペアセットを用いて端末へ第１のダウンリンク信号を送信するように構成される送信ユニットであって、前記第１のダウンリンク信号は、前記ネットワークデバイスが前記第１のアップリンク信号を受信するということを知らせるために使用され、前記第１のダウンリンク信号は、ダウンリンク制御チャネル上の信号であり、前記第１のダウンリンクチャネルは、前記ダウンリンク制御チャネルであり、前記第２のダウンリンクビームペアセットは、ビーム回復のために使用される事前構成されたビームペアセットであり、前記第２のダウンリンクビームペアセットは、前記第１のダウンリンクビームペアセットとは異なる、送信ユニットと
を含む、通信装置。
【請求項１４】
前記第１のダウンリンク信号は、前記第１のアップリンク信号に含まれるコンテンツに基づいて決定される、
請求項１３に記載の装置。
【請求項１５】
前記第１のアップリンク信号は、第１のターゲットダウンリンクビームペアセットに関する情報を含み、前記第２のダウンリンクビームペアセットは、前記第１のターゲットダウンリンクビームペアセットである、
請求項１３又は１４に記載の装置。
【請求項１６】
前記ダウンリンク制御チャネルは、ＮＲ−ＰＤＣＣＨであり、
前記ダウンリンク制御チャネルは、第１の測定パイロットの構成情報を含む、
請求項１３〜１５のいずれか１項に記載の装置。
【請求項１７】
請求項１〜４のいずれか１項に記載の方法を実行するように構成された、通信装置。
【請求項１８】
請求項１７に記載の通信装置を備える、端末。
【請求項１９】
請求項５〜８のいずれか１項に記載の方法を実行するように構成された、通信装置。
【請求項２０】
請求項１９に記載の通信装置を備える、基地局。
【発明の詳細な説明】
【技術分野】
【０００２】
本発明の実施形態は、通信分野に関し、詳細には、リンク再確立方法及びデバイスに関する。
【背景技術】
【０００３】
通信技術及びモバイル帯域幅サービスの継続的な発展に伴って、第５世代モバイル通信技術（ｆｉｆｔｈ  Ｇｅｎｅｒａｔｉｏｎ、５Ｇ）システムが台頭する。高周波においては大量の帯域幅リソースがあるので、５Ｇシステムにおける動作周波数として高周波が使用され得る。しかし、高周波における送信ロスは、低周波における送信ロスと比較されると相対的に大きいので、ビームフォーミング技術が使用され得る。具体的には、トランシーバに統合された複数のアンテナモジュールが使用されてアレイを形成し、指向性ビームを実装して、トランシーバのアンテナ利得及び受信信号電力を改善し、それによって高周波における送信ロスを克服する。
【０００４】
ビームフォーミング技術が使用される通信システムにおいては、受信ビームの幅と送信ビームの幅の両方が比較的狭いので、ユーザ機器（Ｕｓｅｒ  Ｅｑｕｉｐｍｅｎｔ、ＵＥ）が基地局に正常にアクセスすることができるためには、また、基地局との安定した通信を保持することができるためには、ＵＥ及び基地局はそれぞれ、ビームトレーニングプロセスを実行することを必要とすることがよく知られている。例えば、基地局は、別々の送信ビームを用いてＵＥへ参照信号を順次送信することを必要とする。各送信ビームに関して、ＵＥは、全ての受信ビームを順次辿って、送信ビームを用いて基地局により送信された参照情報を測定することを必要とし、それによってＵＥは、より良好なダウンリンクビームペアの１つ又は複数のグループを選択することができ、選択されたダウンリンクビームペアに関する情報を基地局へ報告する。同様に、ＵＥも、別々の送信ビームを用いて基地局へ参照信号を順次送信することを必要とする。各送信ビームに関して、基地局は、全ての受信ビームを順次辿って、送信ビームを用いてＵＥにより送信された参照情報を測定することを必要とし、それによって基地局は、より良好なアップリンクビームペアの１つ又は複数のグループを選択することができ、選択されたアップリンクビームペアに関する情報をＵＥへ報告する。
【０００５】
ビームトレーニングプロセスを通じて、基地局とＵＥの両方が、互いに通信するために使用されるアップリンクビームペア及びダウンリンクビームペアの１つ又は複数のグループを取得することができることが上記から知られ得る。この方法においては、その後の通信プロセスにおいて、基地局及びＵＥは、決定されたアップリンクビームペア及びダウンリンクビームペアを用いて互いにデータを送ることができる。しかし、基地局とＵＥとの間における通信のプロセスにおいては障害物が存在し得るし、高周波における回析能力は貧弱であるので、基地局とＵＥとの間における通信のために使用されるビームがブロックされる。結果として、データが送られ続けることができず、従って通信が中断される。
【発明の概要】
【０００６】
本発明の実施形態は、障害物に起因してデータが送られ続けることができないために基地局とＵＥとの間における通信のプロセスにおいて通信が中断されるという問題を解決するためのリンク再確立方法及びデバイスを提供する。
【０００７】
前述の目的を達成するために、本発明の実施形態においては、下記の技術的なソリューションが使用される。
【０００８】
本発明の実施形態の第１の態様は、
ＵＥによって、第１のダウンリンクビームペアセットが無効であることを検出したとき、第１のアップリンクチャネルを通じて第１のアップリンクビームペアセットを用いて時点ｎにおいて基地局へ第１のアップリンク信号を送信するステップであって、第１のアップリンク信号は、第１のダウンリンクビームペアセットが無効であることを基地局に通知するために使用される、ステップと、ＵＥによって、第１のダウンリンクチャネルを通じて第２のダウンリンクビームペアセットを用いて基地局により送信された第１のダウンリンク信号を時点ｎ＋ｋにおいて検出して、第１の検出結果を取得するステップであって、第１のダウンリンク信号は、基地局が第１のアップリンク信号を受信するということを知らせるために使用される、ステップとを含むリンク再確立方法を提供する。
【０００９】
本発明の実施形態において提供されるリンク再確立方法においては、第１のダウンリンクビームペアセットが無効であることを検出したとき、ＵＥは、第１のアップリンクチャネルを通じて第１のアップリンクビームペアセットを用いて時点ｎにおいて基地局へ、第１のダウンリンクビームペアセットが無効であることを基地局に通知するために使用される第１のアップリンク信号を送信し、第１のダウンリンクチャネルを通じて第２のダウンリンクビームペアセットを用いて基地局により送信された第１のダウンリンク信号を時点ｎ＋ｋにおいて検出して、第１の検出結果を取得し、第１のダウンリンク信号は、基地局が第１のアップリンク信号を受信するということを知らせるために使用される。ＵＥは、第１のダウンリンクビームペアセットが無効であることを基地局に通知するために使用される第１のアップリンク信号を基地局へ送信し、それによって基地局は、第１のダウンリンクチャネルを通じて第２のダウンリンクビームペアセットを用いて第１のダウンリンク信号を送信することができる。この方法においては、障害物に起因してデータが送られ続けることができないために基地局とＵＥとの間における通信のプロセスにおいて通信が中断されるという問題を解決するために、基地局とＵＥとの間における交渉を通じてリンクが回復されることができる。
【００１０】
第１の態様に関連して、可能な実装においては、第１のダウンリンク信号は、第１のアップリンク信号に含まれるコンテンツに基づいて決定される。
【００１１】
第１の態様及び前述の可能な実装に関連して、他の可能な実装においては、第１のアップリンク信号は、ビーム失敗報告又はビーム回復要求であり、第１のダウンリンク信号は、ダウンリンク制御チャネル（ＮＲ−ＰＤＣＣＨ）又は第１の測定パイロットであり、ＵＥによって、第１のダウンリンクチャネルを通じて第２のダウンリンクビームペアセットを用いて基地局により送信された第１のダウンリンク信号を時点ｎ＋ｋにおいて検出して、第１の測定結果を取得するステップは、ＵＥによって、第２のダウンリンクビームペアセットに基づいて時点ｎ＋ｋにおいてダウンリンク制御チャネル上でブラインド検出を実行して、第１の測定結果を取得するステップを含み、第２のダウンリンクビームペアセットは、ビーム回復のために使用される事前に設定されるビームペアセットであり、第２のダウンリンクビームペアセットは、第１のダウンリンクビームペアセットとは異なる。
【００１２】
第１の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、ＵＥによって、第２のダウンリンクビームペアセットに基づいて時点ｎ＋ｋにおいてダウンリンク制御チャネル上でブラインド検出を実行して、第１の測定結果を取得するステップは、ＵＥによって、第１の測定パイロットの構成情報に基づいて第１の測定パイロットを測定して、第１の検出結果を取得するステップを含み、第１の測定パイロットは、ビーム測定パイロットであり、第１の測定結果は、ターゲットダウンリンクビームペアセットに関する情報である。
【００１３】
第１の態様及び前述の可能な実装に関連して、他の可能な実装においては、第１のアップリンク信号は、ビーム失敗報告又はビーム回復要求であり、第１のダウンリンク信号は、ダウンリンク制御チャネルＮＲ−ＰＤＣＣＨであり、ＵＥによって、第１のダウンリンクチャネルを通じて第２のダウンリンクビームペアセットを用いて基地局により送信された第１のダウンリンク信号を時点ｎ＋ｋにおいて検出して、第１の測定結果を取得するステップは、ＵＥによって、ダウンリンク制御チャネル上の検出に基づいて時点ｎ＋ｋにおいて第１の測定結果を取得するステップを含み、第１の測定結果は、ターゲットダウンリンクビームペアセットに関する情報である。
【００１４】
第１の態様及び前述の可能な実装に関連して、他の可能な実装においては、ダウンリンク制御チャネルは、第１の測定結果を報告するために利用されるアップリンクリソース情報をさらに含み、アップリンクリソース情報は、アップリンク時間−周波数リソース及び／又は第２のアップリンクビームペアセットに関する情報を含み、ＵＥによって、第１のダウンリンクチャネルを通じて第２のダウンリンクビームペアセットを用いて基地局により送信された第１のダウンリンク信号を時点ｎ＋ｋにおいて検出して、第１の測定結果を取得するステップの後、この方法は、ＵＥによって、アップリンクリソース情報に基づいて時点ｎ＋ｋ＋ｋ１において基地局へ第１の測定結果を送信するステップをさらに含む。
【００１５】
第１の態様及び前述の可能な実装に関連して、他の可能な実装においては、ＵＥによって、アップリンクリソース情報に基づいて時点ｎ＋ｋ＋ｋ１において基地局へ第１の測定結果を送信するステップの後、この方法は、ＵＥによって、時点ｎ＋ｋ＋ｋ１＋ｋ２において第３のダウンリンクチャネルを検出して、第３のダウンリンクビームペアセットに関する情報を取得するステップと、ＵＥによって、第３のダウンリンクビームペアセットに関する情報に基づいて基地局と通信するステップとをさらに含む。
【００１６】
第１の態様及び前述の可能な実装に関連して、他の可能な実装においては、ＵＥによって、時点ｎ＋ｋ＋ｋ１＋ｋ２において第３のダウンリンクチャネルを検出して、第３のダウンリンクビームペアセットに関する情報を取得するステップは、ＵＥによって、第１の測定結果におけるターゲットダウンリンクビームペアセット内のＮ個の最適なターゲットダウンリンクビームペアに基づいて時点ｎ＋ｋ＋ｋ１＋ｋ２において第３のダウンリンクチャネル上でブラインド検出を実行して、第３のダウンリンクビームペアセットに関する情報を取得するステップを含む。
【００１７】
第１の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、第１のダウンリンク信号は、ダウンリンク制御チャネルＮＲ−ＰＤＣＣＨ又は第１の測定パイロットであり、ＵＥによって、第１のダウンリンクチャネルを通じて第２のダウンリンクビームペアセットを用いて基地局により送信された第１のダウンリンク信号を時点ｎ＋ｋにおいて検出して、第１の測定結果を取得するステップは、ＵＥによって、第１のターゲットダウンリンクビームペアセットに基づいて時点ｎ＋ｋにおいてダウンリンク制御チャネル上でブラインド検出を実行して、第１の測定結果を取得するステップを含み、第１のターゲットダウンリンクビームペアセットは、第１のダウンリンクビームペアセットとは異なる。
【００１８】
第１の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、ＵＥによって、第１のターゲットダウンリンクビームペアセットに基づいて時点ｎ＋ｋにおいてダウンリンク制御チャネル上でブラインド検出を実行して、第１の測定結果を取得するステップは、ＵＥによって、第１の測定パイロットの構成情報に基づいて第１の測定パイロットを測定して、第１の検出結果を取得するステップを含み、第１の測定パイロットは、ビーム測定パイロットであり、第１の測定結果は、第２のターゲットダウンリンクビームペアセットに関する情報である。
【００１９】
第１の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、第１のダウンリンク信号は、ダウンリンク制御チャネルＮＲ−ＰＤＣＣＨであり、ＵＥによって、第１のダウンリンクチャネルを通じて第２のダウンリンクビームペアセットを用いて基地局により送信された第１のダウンリンク信号を時点ｎ＋ｋにおいて検出して、第１の測定結果を取得するステップは、ＵＥによって、ダウンリンク制御チャネル上の検出に基づいて時点ｎ＋ｋにおいて第１の測定結果を取得するステップを含み、第１の測定結果は、第２のターゲットダウンリンクビームペアセットに関する情報である。
【００２０】
第１の態様及び前述の可能な実装に関連して、他の可能な実装においては、第１のダウンリンク信号は、第３のダウンリンクビームペアセットに関する情報を含み、ＵＥによって、第１のダウンリンクチャネルを通じて第２のダウンリンクビームペアセットを用いて基地局により送信された第１のダウンリンク信号を時点ｎ＋ｋにおいて検出して、第１の測定結果を取得するステップの後、この方法は、ＵＥによって、第３のダウンリンクビームペアセットに関する情報に基づいて基地局と通信するステップをさらに含む。
【００２１】
第１の態様及び前述の可能な実装に関連して、他の可能な実装においては、第１のダウンリンク信号は、ターゲットアップリンクビームペアセットに関する情報をさらに含む。
【００２２】
第１の態様及び前述の可能な実装に関連して、他の可能な実装においては、第１のアップリンク信号は、ビーム失敗報告又はビーム回復要求であり、ユーザ機器ＵＥによって、第１のダウンリンクビームペアセットが無効であることを検出したとき、第１のアップリンクチャネルを通じて第１のアップリンクビームペアセットを用いて時点ｎにおいて基地局へ第１のアップリンク信号を送信するステップの後、この方法は、ＵＥによって、第１のダウンリンク信号が時点ｎ＋ｋにおいて検出されないと判定するステップと、ＵＥによって、第２のアップリンクチャネルを通じて第２のアップリンクビームペアセットを用いて時点ｎ＋ｋ＋ｋ１において基地局へ第１のアップリンク信号を再送するステップとをさらに含む。
【００２３】
第１の態様及び前述の可能な実装に関連して、他の可能な実装においては、第１のアップリンク信号は、ビーム失敗報告又はビーム回復要求であり、ユーザ機器ＵＥによって、第１のダウンリンクビームペアセットが無効であることを検出したとき、第１のアップリンクチャネルを通じて第１のアップリンクビームペアセットを用いて時点ｎにおいて基地局へ第１のアップリンク信号を送信するステップの後、この方法は、ＵＥによって、第１のダウンリンク信号が時点ｎ＋ｋにおいて検出されないと判定するステップと、ＵＥによって、第１のアップリンクチャネルを通じて第１のアップリンクビームペアセットを用いて時点ｎ＋ｋ＋ｋ１において基地局へ第１のアップリンク信号を再送するステップであって、時点ｎ＋ｋ＋ｋ１において第１のアップリンク信号を送信するために使用される送信電力が、時点ｎにおいて第１のアップリンク信号が送信される際の送信電力と比較してＸだけ増大され、Ｘはプリセット電力値である、ステップとをさらに含む。
【００２４】
第１の態様及び前述の可能な実装に関連して、他の可能な実装においては、この方法は、ＵＥによって、第１のダウンリンクチャネルを通じて第２のダウンリンクビームペアセットを用いて基地局により送信された第１のダウンリンク信号を時点ｎ＋ｋ＋ｋ１＋ｋ２において検出して、第１の検出結果を取得するステップをさらに含む。
【００２５】
第１の態様及び前述の可能な実装に関連して、他の可能な実装においては、第１のダウンリンク信号は、ダウンリンク制御チャネルＮＲ−ＰＤＣＣＨ又は第１の測定パイロットであり、ＵＥによって、第１のダウンリンクチャネルを通じて第２のダウンリンクビームペアセットを用いて基地局により送信された第１のダウンリンク信号を時点ｎ＋ｋ＋ｋ１＋ｋ２において検出して、第１の測定結果を取得するステップは、ＵＥによって、第２のダウンリンクビームペアセットに基づいて時点ｎ＋ｋ＋ｋ１＋ｋ２においてダウンリンク制御チャネル上でブラインド検出を実行して、第１の測定結果を取得するステップを含み、第２のダウンリンクビームペアセットは、ビーム回復のために使用される事前に設定されるビームペアセットであり、第２のダウンリンクビームペアセットは、第１のダウンリンクビームペアセットとは異なり、第１のダウンリンク信号は、ターゲットアップリンクビームペアセットに関するものであってＵＥに示される情報を含み、ターゲットアップリンクビームペアセットに関する情報は、第２のアップリンクビームペアセットに基づいて取得される。
【００２６】
第１の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、ＵＥによって、第２のダウンリンクビームペアセットに基づいて時点ｎ＋ｋ＋ｋ１＋ｋ２においてダウンリンク制御チャネル上でブラインド検出を実行して、第１の測定結果を取得するステップは、ＵＥによって、第１の測定パイロットの構成情報に基づいて第１の測定パイロットを測定して、第１の検出結果を取得するステップを含み、第１の測定パイロットは、ビーム測定パイロットであり、第１の測定結果は、ターゲットダウンリンクビームペアセットに関する情報である。
【００２７】
第１の態様及び前述の可能な実装に関連して、他の可能な実装においては、第１のダウンリンク信号は、ダウンリンク制御チャネルＮＲ−ＰＤＣＣＨであり、ＵＥによって、第１のダウンリンクチャネルを通じて第２のダウンリンクビームペアセットを用いて基地局により送信された第１のダウンリンク信号を時点ｎ＋ｋ＋ｋ１＋ｋ２において検出して、第１の測定結果を取得するステップは、ＵＥによって、ダウンリンク制御チャネル上の検出に基づいて時点ｎ＋ｋ＋ｋ１＋ｋ２において第１の測定結果を取得するステップを含み、第１の測定結果は、ターゲットダウンリンクビームペアセットに関する情報である。
【００２８】
第１の態様及び前述の可能な実装に関連して、他の可能な実装においては、ダウンリンク制御チャネルは、第１の測定結果を報告するために利用されるアップリンクリソース情報をさらに含み、アップリンクリソース情報は、アップリンク時間−周波数リソース及び／又は第３のアップリンクビームペアセットに関する情報を含み、ＵＥによって、第１のダウンリンクチャネルを通じて第２のダウンリンクビームペアセットを用いて基地局により送信された第１のダウンリンク信号を時点ｎ＋ｋ＋ｋ１＋ｋ２において検出して、第１の測定結果を取得するステップの後、この方法は、ＵＥによって、アップリンクリソース情報に基づいて時点ｎ＋ｋ＋ｋ１＋ｋ２＋ｋ３において基地局へ第１の測定結果を送信するステップをさらに含む。
【００２９】
第１の態様及び前述の可能な実装に関連して、他の可能な実装においては、ＵＥによって、アップリンクリソース情報に基づいて時点ｎ＋ｋ＋ｋ１＋ｋ２＋ｋ３において基地局へ第１の測定結果を送信するステップの後、この方法は、ＵＥによって、時点ｎ＋ｋ＋ｋ１＋ｋ２＋ｋ３＋ｋ４において第３のダウンリンクチャネルを検出して、第３のダウンリンクビームペアセットに関する情報を取得するステップと、ＵＥによって、第３のダウンリンクビームペアセットに関する情報に基づいて基地局と通信するステップとをさらに含む。
【００３０】
第１の態様及び前述の可能な実装に関連して、他の可能な実装においては、ＵＥによって、時点ｎ＋ｋ＋ｋ１＋ｋ２＋ｋ３＋ｋ４において第３のダウンリンクチャネルを検出して、第３のダウンリンクビームペアセットに関する情報を取得するステップは、ＵＥによって、第１の測定結果におけるターゲットダウンリンクビームペアセット内のＮ個の最適なターゲットダウンリンクビームペアに基づいて時点ｎ＋ｋ＋ｋ１＋ｋ２＋ｋ３＋ｋ４において第３のダウンリンクチャネル上でブラインド検出を実行して、第３のダウンリンクビームペアセットに関する情報を取得するステップを含む。
【００３１】
第１の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、ユーザ機器ＵＥによって、第１のダウンリンクビームペアセットが無効であることを検出したとき、第１のアップリンクチャネルを通じて第１のアップリンクビームペアセットを用いて時点ｎにおいて基地局へ第１のアップリンク信号を送信するステップの後、この方法は、ＵＥによって、第１のダウンリンク信号が時点ｎ＋ｋにおいて検出されないと判定するステップと、ＵＥによって、第２のアップリンクチャネルを通じて第２のアップリンクビームペアセットを用いて時点ｎ＋ｋ＋ｋ１において基地局へ第１のアップリンク信号を再送するステップとをさらに含む。
【００３２】
第１の態様及び前述の可能な実装に関連して、他の可能な実装においては、第１のアップリンク信号は、ビーム失敗報告又はビーム回復要求であり、ユーザ機器ＵＥによって、第１のダウンリンクビームペアセットが無効であることを検出したとき、第１のアップリンクチャネルを通じて第１のアップリンクビームペアセットを用いて時点ｎにおいて基地局へ第１のアップリンク信号を送信するステップの後、この方法は、ＵＥによって、第１のダウンリンク信号が時点ｎ＋ｋにおいて検出されないと判定するステップと、ＵＥによって、第１のアップリンクチャネルを通じて第１のアップリンクビームペアセットを用いて時点ｎ＋ｋ＋ｋ１において基地局へ第１のアップリンク信号を再送するステップであって、時点ｎ＋ｋ＋ｋ１において第１のアップリンク信号を送信するために使用される送信電力が、時点ｎにおいて第１のアップリンク信号が送信される際の送信電力と比較してＸだけ増大され、Ｘはプリセット電力値である、ステップとをさらに含む。
【００３３】
第１の態様及び前述の可能な実装に関連して、他の可能な実装においては、この方法は、ＵＥによって、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の検出結果を取得するステップをさらに含む。
【００３４】
第１の態様及び前述の可能な実装に関連して、他の可能な実装においては、第１のダウンリンク信号は、ダウンリンク制御チャネルＮＲ−ＰＤＣＣＨ又は第１の測定パイロットであり、ＵＥによって、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の測定結果を取得するステップは、ＵＥによって、第１のターゲットダウンリンクビームペアセットに基づいて時点ｎ＋ｋ＋ｋ１＋ｋ２においてダウンリンク制御チャネル上でブラインド検出を実行して、第１の測定結果を取得するステップを含み、第１のターゲットダウンリンクビームペアセットは、第１のダウンリンクビームペアセットとは異なる。
【００３５】
第１の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、ＵＥによって、第１のターゲットダウンリンクビームペアセットに基づいて時点ｎ＋ｋ＋ｋ１＋ｋ２においてダウンリンク制御チャネル上でブラインド検出を実行して、第１の測定結果を取得するステップは、ＵＥによって、第１の測定パイロットの構成情報に基づいて第１の測定パイロットを測定して、第１の検出結果を取得するステップを含み、第１の測定パイロットは、ビーム測定パイロットであり、第１の測定結果は、第２のターゲットダウンリンクビームペアセットに関する情報である。
【００３６】
第１の態様及び前述の可能な実装に関連して、他の可能な実装においては、第１のダウンリンク信号は、ダウンリンク制御チャネルＮＲ−ＰＤＣＣＨであり、ＵＥによって、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の測定結果を取得するステップは、ＵＥによって、ダウンリンク制御チャネル上の検出に基づいて時点ｎ＋ｋ＋ｋ１＋ｋ２において第１の測定結果を取得するステップを含み、第１の測定結果は、第２のターゲットダウンリンクビームペアセットに関する情報である。
【００３７】
第１の態様及び前述の可能な実装に関連して、他の可能な実装においては、第１のダウンリンク信号は、ターゲットアップリンクビームペアセットに関する情報を含み、ＵＥによって、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の測定結果を取得するステップの後、この方法は、ＵＥによって、ターゲットアップリンクビームペアセットを用いて時点ｎ＋ｋ＋ｋ１＋ｋ２＋ｋ３において基地局へ第１の測定結果を送信するステップをさらに含む。
【００３８】
第１の態様及び前述の可能な実装に関連して、他の可能な実装においては、ＵＥによって、ターゲットアップリンクビームペアセットを用いて時点ｎ＋ｋ＋ｋ１＋ｋ２＋ｋ３において基地局へ第１の測定結果を送信するステップの後、この方法は、ＵＥによって、時点ｎ＋ｋ＋ｋ１＋ｋ２＋ｋ３＋ｋ４において第３のダウンリンクチャネルを検出して、第３のダウンリンクビームペアセットに関する情報を取得するステップと、ＵＥによって、第３のダウンリンクビームペアセットに関する情報に基づいて基地局と通信するステップとをさらに含む。
【００３９】
第１の態様及び前述の可能な実装に関連して、他の可能な実装においては、ＵＥによって、時点ｎ＋ｋ＋ｋ１＋ｋ２＋ｋ３＋ｋ４において第３のダウンリンクチャネルを検出して、第３のダウンリンクビームペアセットに関する情報を取得するステップは、ＵＥによって、第１の測定結果における第２のターゲットダウンリンクビームペアセット内のＮ個の最適なターゲットダウンリンクビームペアに基づいて時点ｎ＋ｋ＋ｋ１＋ｋ２＋ｋ３＋ｋ４において第３のダウンリンクチャネル上でブラインド検出を実行して、第３のダウンリンクビームペアセットに関する情報を取得するステップを含む。
【００４０】
第１の態様及び前述の可能な実装に関連して、他の可能な実装においては、第１のアップリンクチャネルは、周期的なＰＵＣＣＨであり、周期的なＰＵＣＣＨは、ＨＡＲＱ、ＣＳＩ情報、ビーム情報、及びＳＲ情報を送るためにさらに使用される。
【００４１】
第１の態様及び前述の可能な実装に関連して、他の可能な実装においては、第２のアップリンクチャネルは、ビーム回復のために特に使用される事前に設定されるアップリンクチャネルであり、第２のアップリンクチャネルのために設定されるアップリンクビームは、アップリンクビーム回復のために特に使用されるビームペアであり、第１のアップリンクチャネルのために設定されるアップリンクビームペアとは異なる（第１のビームペアは、周期的なアップリンク制御チャネルのために設定されるビームペアである）。
【００４２】
第１の態様及び前述の可能な実装に関連して、他の可能な実装においては、第２のアップリンクチャネルは、ＲＡＣＨと同じタイムスロットにおけるチャネルである。
【００４３】
本発明の実施形態の第２の態様は、
基地局により、第１のアップリンクビームペアセットを用いて第１のアップリンクチャネル上で第１のアップリンク信号を検出するステップであって、第１のアップリンク信号は、第１のダウンリンクビームペアセットが無効であることを基地局に通知するために使用される、ステップと、基地局により、第１のダウンリンクチャネルを通じて第２のダウンリンクビームペアセットを用いてＵＥへ第１のダウンリンク信号を送信するステップであって、第１のダウンリンク信号は、基地局が第１のアップリンク信号を受信するということを知らせるために使用される、ステップとを含むリンク再確立方法を提供する。
【００４４】
本発明の実施形態において提供されるリンク再確立方法においては、基地局は、第１のダウンリンクビームペアセットが無効であることを基地局に通知するために使用される第１のアップリンク信号を、第１のアップリンクビームペアセットを用いて第１のアップリンクチャネル上で検出し、基地局が第１のアップリンク信号を受信するということを知らせるために使用される第１のダウンリンク信号を、第１のダウンリンクチャネルを通じて第２のダウンリンクビームペアセットを用いてＵＥへ送信する。ＵＥは、第１のダウンリンクビームペアセットが無効であることを基地局に通知するために使用される第１のアップリンク信号を基地局へ送信し、それによって基地局は、第１のダウンリンクチャネルを通じて第２のダウンリンクビームペアセットを用いて第１のダウンリンク信号を送信することができる。この方法においては、障害物に起因してデータが送られ続けることができないために基地局とＵＥとの間における通信のプロセスにおいて通信が中断されるという問題を解決するために、基地局とＵＥとの間における交渉を通じてリンクが回復されることができる。
【００４５】
第２の態様に関連して、可能な実装においては、第１のダウンリンク信号は、第１のアップリンク信号に含まれるコンテンツに基づいて決定される。
【００４６】
第２の態様及び前述の可能な実装に関連して、他の可能な実装においては、第１のアップリンク信号は、ビーム失敗報告又はビーム回復要求である。
【００４７】
第２の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットである。
【００４８】
第２の態様及び前述の可能な実装に関連して、他の可能な実装においては、第１のダウンリンク信号は、ダウンリンク制御チャネルＮＲ−ＰＤＣＣＨ又は第１の測定パイロットであり、第１のダウンリンク信号がダウンリンク制御チャネルであるとき、ダウンリンク制御チャネルは、第１の測定パイロットの構成情報を含む。
【００４９】
第２の態様及び前述の可能な実装に関連して、他の可能な実装においては、ダウンリンク制御チャネルは、第１の測定結果を報告するために利用されるアップリンクリソース情報をさらに含み、アップリンクリソース情報は、アップリンク時間−周波数リソース及び／又は第２のアップリンクビームペアセットに関する情報を含み、この方法は、基地局によりアップリンクリソース情報に基づいて、ＵＥにより送信された第１の測定結果を受信するステップをさらに含む。
【００５０】
第２の態様及び前述の可能な実装に関連して、他の可能な実装においては、基地局によりアップリンクリソース情報に基づいて、ＵＥにより送信された第１の測定結果を受信するステップの後、この方法は、基地局により、第３のダウンリンクチャネルを通じてＵＥへ第３のダウンリンクビームペアセットに関する情報を送信するステップと、基地局により、第３のダウンリンクビームペアセットに関する情報に基づいてＵＥと通信するステップとをさらに含む。
【００５１】
第２の態様及び前述の可能な実装に関連して、他の可能な実装においては、基地局により、第１のダウンリンクチャネルを通じて第２のダウンリンクビームペアセットを用いてＵＥへ第１のダウンリンク信号を送信するステップであって、第１のダウンリンク信号は、基地局が第１のアップリンク信号を受信するということを知らせるために使用される、ステップの前に、この方法は、基地局により、第２のアップリンクビームペアセットを用いて第２のアップリンクチャネル上で第１のアップリンク信号を検出するステップをさらに含む。
【００５２】
本発明の実施形態の第３の態様は、第１のダウンリンクビームペアセットが無効であることが検出されたとき、第１のアップリンクチャネルを通じて第１のアップリンクビームペアセットを用いて時点ｎにおいて基地局へ第１のアップリンク信号を送信するように構成される送信ユニットであって、第１のアップリンク信号は、第１のダウンリンクビームペアセットが無効であることを基地局に通知するために使用される、送信ユニットと、第１のダウンリンクチャネルを通じて第２のダウンリンクビームペアセットを用いて基地局により送信された第１のダウンリンク信号を時点ｎ＋ｋにおいて検出して、第１の検出結果を取得するように構成される検出ユニットであって、第１のダウンリンク信号は、基地局が第１のアップリンク信号を受信するということを知らせるために使用される、検出ユニットとを含むＵＥを提供する。
【００５３】
第３の態様に関連して、可能な実装においては、第１のダウンリンク信号は、第１のアップリンク信号に含まれるコンテンツに基づいて決定される。
【００５４】
第３の態様及び前述の可能な実装に関連して、他の可能な実装においては、第１のアップリンク信号は、ビーム失敗報告又はビーム回復要求であり、第１のダウンリンク信号は、ダウンリンク制御チャネルＮＲ−ＰＤＣＣＨ又は第１の測定パイロットであり、検出ユニットは、第２のダウンリンクビームペアセットに基づいて時点ｎ＋ｋにおいてダウンリンク制御チャネル上でブラインド検出を実行して、第１の測定結果を取得するように特に構成され、第２のダウンリンクビームペアセットは、ビーム回復のために使用される事前に設定されるビームペアセットであり、第２のダウンリンクビームペアセットは、第１のダウンリンクビームペアセットとは異なる。
【００５５】
第３の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、検出ユニットは、第１の測定パイロットの構成情報に基づいて第１の測定パイロットを測定して、第１の検出結果を取得するように特に構成され、第１の測定パイロットは、ビーム測定パイロットであり、第１の測定結果は、ターゲットダウンリンクビームペアセットに関する情報である。
【００５６】
第３の態様及び前述の可能な実装に関連して、他の可能な実装においては、第１のアップリンク信号は、ビーム失敗報告又はビーム回復要求であり、第１のダウンリンク信号は、ダウンリンク制御チャネルＮＲ−ＰＤＣＣＨであり、検出ユニットは、ダウンリンク制御チャネル上の検出に基づいて時点ｎ＋ｋにおいて第１の測定結果を取得するように特に構成され、第１の測定結果は、ターゲットダウンリンクビームペアセットに関する情報である。
【００５７】
第３の態様及び前述の可能な実装に関連して、他の可能な実装においては、ダウンリンク制御チャネルは、第１の測定結果を報告するために利用されるアップリンクリソース情報をさらに含み、アップリンクリソース情報は、アップリンク時間−周波数リソース及び／又は第２のアップリンクビームペアセットに関する情報を含み、送信ユニットは、アップリンクリソース情報に基づいて時点ｎ＋ｋ＋ｋ１において基地局へ第１の測定結果を送信するようにさらに構成される。
【００５８】
第３の態様及び前述の可能な実装に関連して、他の可能な実装においては、このＵＥは、通信ユニットをさらに含み、検出ユニットは、時点ｎ＋ｋ＋ｋ１＋ｋ２において第３のダウンリンクチャネルを検出して、第３のダウンリンクビームペアセットに関する情報を取得するようにさらに構成され、通信ユニットは、第３のダウンリンクビームペアセットに関する情報に基づいて基地局と通信するように構成される。
【００５９】
第３の態様及び前述の可能な実装に関連して、他の可能な実装においては、検出ユニットは、第１の測定結果におけるターゲットダウンリンクビームペアセット内のＮ個の最適なターゲットダウンリンクビームペアに基づいて時点ｎ＋ｋ＋ｋ１＋ｋ２において第３のダウンリンクチャネル上でブラインド検出を実行して、第３のダウンリンクビームペアセットに関する情報を取得するように特に構成される。
【００６０】
第３の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、第１のダウンリンク信号は、ダウンリンク制御チャネルＮＲ−ＰＤＣＣＨ又は第１の測定パイロットであり、検出ユニットは、第１のターゲットダウンリンクビームペアセットに基づいて時点ｎ＋ｋにおいてダウンリンク制御チャネル上でブラインド検出を実行して、第１の測定結果を取得するように特に構成され、第１のターゲットダウンリンクビームペアセットは、第１のダウンリンクビームペアセットとは異なる。
【００６１】
第３の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、検出ユニットは、第１の測定パイロットの構成情報に基づいて第１の測定パイロットを測定して、第１の検出結果を取得するように特に構成され、第１の測定パイロットは、ビーム測定パイロットであり、第１の測定結果は、第２のターゲットダウンリンクビームペアセットに関する情報である。
【００６２】
第３の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、第１のダウンリンク信号は、ダウンリンク制御チャネルＮＲ−ＰＤＣＣＨであり、検出ユニットは、ダウンリンク制御チャネル上の検出に基づいて時点ｎ＋ｋにおいて第１の測定結果を取得するように特に構成され、第１の測定結果は、第２のターゲットダウンリンクビームペアセットに関する情報である。
【００６３】
第３の態様及び前述の可能な実装に関連して、他の可能な実装においては、第１のダウンリンク信号は、第３のダウンリンクビームペアセットに関する情報を含み、通信ユニットは、第３のダウンリンクビームペアセットに関する情報に基づいて基地局と通信するようにさらに構成される。
【００６４】
第３の態様及び前述の可能な実装に関連して、他の可能な実装においては、第１のアップリンク信号は、ビーム失敗報告又はビーム回復要求であり、このＵＥは、決定ユニットをさらに含み、決定ユニットは、第１のダウンリンク信号が時点ｎ＋ｋにおいて検出されないと判定するように構成され、送信ユニットは、第２のアップリンクチャネルを通じて第２のアップリンクビームペアセットを用いて時点ｎ＋ｋ＋ｋ１において基地局へ第１のアップリンク信号を再送するようにさらに構成される。
【００６５】
第３の態様及び前述の可能な実装に関連して、他の可能な実装においては、第１のアップリンク信号は、ビーム失敗報告又はビーム回復要求であり、このＵＥは、決定ユニットをさらに含み、決定ユニットは、第１のダウンリンク信号が時点ｎ＋ｋにおいて検出されないと判定するように構成され、送信ユニットは、第１のアップリンクチャネルを通じて第１のアップリンクビームペアセットを用いて時点ｎ＋ｋ＋ｋ１において基地局へ第１のアップリンク信号を再送するようにさらに構成され、時点ｎ＋ｋ＋ｋ１において第１のアップリンク信号を送信するために使用される送信電力が、時点ｎにおいて第１のアップリンク信号が送信される際の送信電力と比較してＸだけ増大され、Ｘはプリセット電力値である。
【００６６】
第３の態様及び前述の可能な実装に関連して、他の可能な実装においては、検出ユニットは、第１のダウンリンクチャネルを通じて第２のダウンリンクビームペアセットを用いて基地局により送信された第１のダウンリンク信号を時点ｎ＋ｋ＋ｋ１＋ｋ２において検出して、第１の検出結果を取得するようにさらに構成される。
【００６７】
第３の態様及び前述の可能な実装に関連して、他の可能な実装においては、第１のダウンリンク信号は、ダウンリンク制御チャネルＮＲ−ＰＤＣＣＨ又は第１の測定パイロットであり、検出ユニットは、第２のダウンリンクビームペアセットに基づいて時点ｎ＋ｋ＋ｋ１＋ｋ２においてダウンリンク制御チャネル上でブラインド検出を実行して、第１の測定結果を取得するように特に構成され、第２のダウンリンクビームペアセットは、ビーム回復のために使用される事前に設定されるビームペアセットであり、第２のダウンリンクビームペアセットは、第１のダウンリンクビームペアセットとは異なり、第１のダウンリンク信号は、ターゲットアップリンクビームペアセットに関するものであってＵＥに示される情報を含み、ターゲットアップリンクビームペアセットに関する情報は、第２のアップリンクビームペアセットに基づいて取得される。
【００６８】
第３の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、検出ユニットは、第１の測定パイロットの構成情報に基づいて第１の測定パイロットを測定して、第１の検出結果を取得するように特に構成され、第１の測定パイロットは、ビーム測定パイロットであり、第１の測定結果は、ターゲットダウンリンクビームペアセットに関する情報である。
【００６９】
第３の態様及び前述の可能な実装に関連して、他の可能な実装においては、第１のダウンリンク信号は、ダウンリンク制御チャネルＮＲ−ＰＤＣＣＨであり、検出ユニットは、ダウンリンク制御チャネル上の検出に基づいて時点ｎ＋ｋ＋ｋ１＋ｋ２において第１の測定結果を取得するように特に構成され、第１の測定結果は、ターゲットダウンリンクビームペアセットに関する情報である。
【００７０】
第３の態様及び前述の可能な実装に関連して、他の可能な実装においては、ダウンリンク制御チャネルは、第１の測定結果を報告するために利用されるアップリンクリソース情報をさらに含み、アップリンクリソース情報は、アップリンク時間−周波数リソース及び／又は第３のアップリンクビームペアセットに関する情報を含み、送信ユニットは、アップリンクリソース情報に基づいて時点ｎ＋ｋ＋ｋ１＋ｋ２＋ｋ３において基地局へ第１の測定結果を送信するようにさらに構成される。
【００７１】
第３の態様及び前述の可能な実装に関連して、他の可能な実装においては、このＵＥは、通信ユニットをさらに含み、検出ユニットは、時点ｎ＋ｋ＋ｋ１＋ｋ２＋ｋ３＋ｋ４において第３のダウンリンクチャネルを検出して、第３のダウンリンクビームペアセットに関する情報を取得するようにさらに構成され、通信ユニットは、第３のダウンリンクビームペアセットに関する情報に基づいて基地局と通信するように構成される。
【００７２】
第３の態様及び前述の可能な実装に関連して、他の可能な実装においては、検出ユニットは、第１の測定結果におけるターゲットダウンリンクビームペアセット内のＮ個の最適なターゲットダウンリンクビームペアに基づいて時点ｎ＋ｋ＋ｋ１＋ｋ２＋ｋ３＋ｋ４において第３のダウンリンクチャネル上でブラインド検出を実行して、第３のダウンリンクビームペアセットに関する情報を取得するように特に構成される。
【００７３】
第３の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、このＵＥは、決定ユニットをさらに含み、決定ユニットは、第１のダウンリンク信号が時点ｎ＋ｋにおいて検出されないと判定するように構成され、送信ユニットは、第２のアップリンクチャネルを通じて第２のアップリンクビームペアセットを用いて時点ｎ＋ｋ＋ｋ１において基地局へ第１のアップリンク信号を再送するようにさらに構成される。
【００７４】
第３の態様及び前述の可能な実装に関連して、他の可能な実装においては、第１のアップリンク信号は、ビーム失敗報告又はビーム回復要求であり、このＵＥは、第１のダウンリンク信号が時点ｎ＋ｋにおいて検出されないと判定するように構成される決定ユニットをさらに含み、送信ユニットは、第１のアップリンクチャネルを通じて第１のアップリンクビームペアセットを用いて時点ｎ＋ｋ＋ｋ１において基地局へ第１のアップリンク信号を再送するように構成され、時点ｎ＋ｋ＋ｋ１において第１のアップリンク信号を送信するために使用される送信電力が、時点ｎにおいて第１のアップリンク信号が送信される際の送信電力と比較してＸだけ増大され、Ｘはプリセット電力値である。
【００７５】
第３の態様及び前述の可能な実装に関連して、他の可能な実装においては、検出ユニットは、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の検出結果を取得するようにさらに構成される。
【００７６】
第３の態様及び前述の可能な実装に関連して、他の可能な実装においては、第１のダウンリンク信号は、ダウンリンク制御チャネルＮＲ−ＰＤＣＣＨ又は第１の測定パイロットであり、検出ユニットは、第１のターゲットダウンリンクビームペアセットに基づいて時点ｎ＋ｋ＋ｋ１＋ｋ２においてダウンリンク制御チャネル上でブラインド検出を実行して、第１の測定結果を取得するように特に構成され、第１のターゲットダウンリンクビームペアセットは、第１のダウンリンクビームペアセットとは異なる。
【００７７】
第３の態様及び前述の可能な実装に関連して、他の可能な実装においては、第１のダウンリンク信号がダウンリンク制御チャネルであるとき、ダウンリンク制御チャネルは、第１の測定パイロットの構成情報を含み、又は第１のダウンリンク信号が第１の測定パイロットであるとき、第１の測定パイロットの構成情報は、ＵＥにおいて事前に設定され、検出ユニットは、第１の測定パイロットの構成情報に基づいて第１の測定パイロットを測定して、第１の検出結果を取得するように特に構成され、第１の測定パイロットは、ビーム測定パイロットであり、第１の測定結果は、第２のターゲットダウンリンクビームペアセットに関する情報である。
【００７８】
第３の態様及び前述の可能な実装に関連して、他の可能な実装においては、第１のダウンリンク信号は、ダウンリンク制御チャネルＮＲ−ＰＤＣＣＨであり、検出ユニットは、ダウンリンク制御チャネル上の検出に基づいて時点ｎ＋ｋ＋ｋ１＋ｋ２において第１の測定結果を取得するように特に構成され、第１の測定結果は、第２のターゲットダウンリンクビームペアセットに関する情報である。
【００７９】
第３の態様及び前述の可能な実装に関連して、他の可能な実装においては、第１のダウンリンク信号は、ターゲットアップリンクビームペアセットに関する情報を含み、送信ユニットは、ターゲットアップリンクビームペアセットを用いて時点ｎ＋ｋ＋ｋ１＋ｋ２＋ｋ３において基地局へ第１の測定結果を送信するようにさらに構成される。
【００８０】
第３の態様及び前述の可能な実装に関連して、他の可能な実装においては、検出ユニットは、時点ｎ＋ｋ＋ｋ１＋ｋ２＋ｋ３＋ｋ４において第３のダウンリンクチャネルを検出して、第３のダウンリンクビームペアセットに関する情報を取得するようにさらに構成され、通信ユニットは、第３のダウンリンクビームペアセットに関する情報に基づいて基地局と通信するように構成される。
【００８１】
第３の態様及び前述の可能な実装に関連して、他の可能な実装においては、検出ユニットは、第１の測定結果における第２のターゲットダウンリンクビームペアセット内のＮ個の最適なターゲットダウンリンクビームペアに基づいて時点ｎ＋ｋ＋ｋ１＋ｋ２＋ｋ３＋ｋ４において第３のダウンリンクチャネル上でブラインド検出を実行して、第３のダウンリンクビームペアセットに関する情報を取得するように特に構成される。
【００８２】
本発明の実施形態の第４の態様は、基地局を提供し、この基地局は、第１のアップリンクビームペアセットを用いて第１のアップリンクチャネル上で第１のアップリンク信号を検出するように構成される検出ユニットであって、第１のアップリンク信号は、第１のダウンリンクビームペアセットが無効であることを基地局に通知するために使用される、検出ユニットと、第１のダウンリンクチャネルを通じて第２のダウンリンクビームペアセットを用いてＵＥへ第１のダウンリンク信号を送信するように構成される送信ユニットであって、第１のダウンリンク信号は、基地局が第１のアップリンク信号を受信するということを知らせるために使用される、送信ユニットとを含む。
【００８３】
第４の態様に関連して、可能な実装においては、第１のダウンリンク信号は、第１のアップリンク信号に含まれるコンテンツに基づいて決定される。
【００８４】
第４の態様及び前述の可能な実装に関連して、他の可能な実装においては、第１のアップリンク信号は、ビーム失敗報告又はビーム回復要求である。
【００８５】
第４の態様及び前述の可能な実装に関連して、他の可能な実装においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットである。
【００８６】
第４の態様及び前述の可能な実装に関連して、他の可能な実装においては、第１のダウンリンク信号は、ダウンリンク制御チャネルＮＲ−ＰＤＣＣＨ又は第１の測定パイロットであり、第１のダウンリンク信号がダウンリンク制御チャネルであるとき、ダウンリンク制御チャネルは、第１の測定パイロットの構成情報を含む。
【００８７】
第４の態様及び前述の可能な実装に関連して、他の可能な実装においては、ダウンリンク制御チャネルは、第１の測定結果を報告するために利用されるアップリンクリソース情報をさらに含み、アップリンクリソース情報は、アップリンク時間−周波数リソース及び／又は第２のアップリンクビームペアセットに関する情報を含み、この基地局は、受信ユニットをさらに含み、受信ユニットは、アップリンクリソース情報に基づいて、ＵＥにより送信された第１の測定結果を受信するように構成される。
【００８８】
第４の態様及び前述の可能な実装に関連して、他の可能な実装においては、この基地局は、通信ユニットをさらに含み、送信ユニットは、第３のダウンリンクチャネルを通じてＵＥへ第３のダウンリンクビームペアセットに関する情報を送信するようにさらに構成され、通信ユニットは、第３のダウンリンクビームペアセットに関する情報に基づいてＵＥと通信するように構成される。
【００８９】
第４の態様及び前述の可能な実装に関連して、他の可能な実装においては、検出ユニットは、第２のアップリンクビームペアセットを用いて第２のアップリンクチャネル上で第１のアップリンク信号を検出するようにさらに構成される。
【００９０】
本発明の実施形態の第５の態様は、ＵＥを提供し、このＵＥは、少なくとも１つのプロセッサ、メモリ、トランシーバ、及び通信バスを含み得る。少なくとも１つのプロセッサ、メモリ、及びトランシーバは、通信バスを用いて接続される。メモリは、コンピュータ実行命令を格納するように構成され、ＵＥが動作するとき、プロセッサは、メモリ内に格納されるコンピュータ実行命令を実行し、それによってＵＥは、第１の態様又は第１の態様の可能な実装のうちのいずれか１つによるリンク再確立方法を実行する。
【００９１】
本発明の実施形態の第６の態様は、基地局を提供し、この基地局は、少なくとも１つのプロセッサ、メモリ、トランシーバ、及び通信バスを含み得る。少なくとも１つのプロセッサ、メモリ、及びトランシーバは、通信バスを用いて接続される。メモリは、コンピュータ実行命令を格納するように構成され、基地局が動作するとき、プロセッサは、メモリ内に格納されるコンピュータ実行命令を実行し、それによって基地局は、第２の態様又は第２の態様の可能な実装のうちのいずれか１つによるリンク再確立方法を実行する。
【００９２】
本発明の実施形態の第７の態様は、前述のＵＥによって使用されるコンピュータソフトウェア命令を格納するように構成されるコンピュータストレージ媒体を提供する。コンピュータソフトウェア命令は、前述のリンク再確立方法を実行するように設計されるプログラムを含む。
【００９３】
本発明の実施形態の第８の態様は、前述の基地局により使用されるコンピュータソフトウェア命令を格納するように構成されるコンピュータストレージ媒体を提供する。コンピュータソフトウェア命令は、前述のリンク再確立方法を実行するように設計されるプログラムを含む。
【図面の簡単な説明】
【００９４】
【図１】本発明の実施形態による、本発明の実施形態が適用され得る通信システムの構成の簡略化された概略図である。
【図２】本発明の実施形態による基地局の概略構成図である。
【図３】本発明の実施形態によるＵＥの概略構成図である。
【図４Ａ】本発明の実施形態によるリンク再確立方法のフローチャートである。
【図４Ｂ】本発明の実施形態による他のリンク再確立方法のフローチャートである。
【図４Ｃ】本発明の実施形態による他のリンク再確立方法のフローチャートである。
【図４Ｄ】本発明の実施形態による他のリンク再確立方法のフローチャートである。
【図４Ｅ】本発明の実施形態による信号リソース割り当ての概略図である。
【図５】本発明の実施形態によるリンク再確立方法の適用シナリオの概略図である。
【図６】本発明の実施形態による他のリンク再確立方法の適用シナリオの概略図である。
【図７】本発明の実施形態による他のリンク再確立方法の適用シナリオの概略図である。
【図８】本発明の実施形態による他のリンク再確立方法の適用シナリオの概略図である。
【図９】本発明の実施形態による他のＵＥの概略構成図である。
【図１０】本発明の実施形態による他のＵＥの概略構成図である。
【図１１】本発明の実施形態による他の基地局の概略構成図である。
【図１２】本発明の実施形態による他の基地局の概略構成図である。
【発明を実施するための形態】
【００９５】
本発明の実施形態は、リンク再確立方法を提供し、この方法の基本的な原理は、次の通りである。第１のダウンリンクビームペアセットが無効であることを検出したとき、ＵＥは、第１のアップリンクチャネルを通じて第１のアップリンクビームペアセットを用いて時点ｎにおいて基地局へ、第１のダウンリンクビームペアセットが無効であることを基地局に通知するために使用される第１のアップリンク信号を送信し、第１のダウンリンクチャネルを通じて第２のダウンリンクビームペアセットを用いて基地局により送信された第１のダウンリンク信号を時点ｎ＋ｋにおいて検出して、第１の検出結果を取得し、第１のダウンリンク信号は、基地局が第１のアップリンク信号を受信するということを知らせるために使用される。ＵＥは、第１のダウンリンクビームペアセットが無効であることを基地局に通知するために使用される第１のアップリンク信号を基地局へ送信し、それによって基地局は、第１のダウンリンクチャネルを通じて第２のダウンリンクビームペアセットを用いて第１のダウンリンク信号を送信することができる。この方法においては、障害物に起因してデータが送られ続けることができないために基地局とＵＥとの間における通信のプロセスにおいて通信が中断されるという問題を解決するために、基地局とＵＥとの間における交渉を通じてリンクが回復されることができる。
【００９６】
以下では、本発明の実施形態の実装について、添付の図面を参照しながら詳細に記述する。
【００９７】
図１は、本発明の実施形態が適用され得る通信システムの構成の簡略化された概略図である。本発明のこの実施形態が適用され得る通信システムは、第５世代モバイル通信技術（ｔｈｅ  ｆｉｆｔｈ  Ｇｅｎｅｒａｔｉｏｎ  Ｔｅｌｅｃｏｍｍｕｎｉｃａｔｉｏｎ、５Ｇ）システム及びその後の進化した通信システムであり得るし、又はＬＴＥシステム、第３世代モバイル通信技術（ｔｈｅ  ｔｈｉｒｄ  Ｇｅｎｅｒａｔｉｏｎ  Ｔｅｌｅｃｏｍｍｕｎｉｃａｔｉｏｎ、３Ｇ）システム、第２世代モバイル通信技術（ｔｈｅ  ｓｅｃｏｎｄ  Ｇｅｎｅｒａｔｉｏｎ  Ｔｅｌｅｃｏｍｍｕｎｉｃａｔｉｏｎ、２Ｇ）システム、ワイヤレスフィディリティー（Ｗｉｒｅｌｅｓｓ  Ｆｉｄｅｌｉｔｙ、ＷｉＦｉ）システム、及びワールドワイドインターオペラビリティーフォーマイクロウェーブアクセス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ、ＷＩＭＡＸ）システムなどの通信システムであり得る。本発明のこの実施形態においては、前述の通信システムのそれぞれにおいてビームフォーミング技術が使用され得るし、それによって、トランシーバへと統合された複数のアンテナモジュールが使用されてアレイを形成して、指向性ビームを実現する。従って、この通信システムにおけるデバイスは、指向性ビームを用いて互いに通信することができる。
【００９８】
図１において示されるように、この通信システムの構成は、基地局１１及びＵＥ１２を含み得る。
【００９９】
基地局１１は、ワイヤレス通信基地局（Ｂａｓｅ  Ｓｔａｔｉｏｎ、ＢＳ）、基地局コントローラなどであり得る。基地局１１は、ユーザプレーン基地局及び制御プレーン基地局を特に含み得る。基地局１１は、無線アクセスネットワークにおいて展開される装置であり、ＵＥ１２のためのワイヤレス通信機能を提供するように構成される。基地局１１の主要な機能は、無線リソース管理、インターネットプロトコル（Ｉｎｔｅｒｎｅｔ  Ｐｒｏｔｏｃｏｌ、ＩＰ）ヘッダ圧縮及びユーザデータストリーム暗号化、ユーザ機器の接続中におけるモビリティ管理エンティティ（Ｍｏｂｉｌｅ  Ｍａｎａｇｅｍｅｎｔ  Ｅｎｔｉｔｙ、ＭＭＥ）選択、サービングゲートウェイ（Ｓｅｒｖｉｃｅ  Ｇａｔｅｗａｙ、ＳＧＷ）へのユーザプレーンデータのルーティング、ページングメッセージ構成及び送信、ブロードキャストメッセージ構成及び送信、モビリティ又はスケジューリングのためのものである測定及び測定報告構成などを含む。基地局１１は、様々な形態のマクロ基地局、マイクロ基地局、中継局、アクセスポイントなどを含み得る。別々の無線アクセス技術が使用される通信システムにおいては、基地局機能を有するデバイスは、別々の名前を有し得る。例えば、ＬＴＥシステムにおいては、そのデバイスは、エボルブドＮｏｄｅＢ（Ｅｖｏｌｖｅｄ  ＮｏｄｅＢ、ｅＮＢ、又はｅＮｏｄｅＢ）と呼ばれ、３Ｇシステムにおいては、そのデバイスはＮｏｄｅＢ（Ｎｏｄｅ  Ｂ）と呼ばれ、５Ｇシステムにおいては、そのデバイスはＴＲＰと呼ばれ、次世代通信システムにおいては、そのデバイスはｇＮＢと呼ばれる。通信技術の進化に伴って、「基地局」という名前は変化し得る。加えて、他の可能なケースにおいては、基地局１１は、ＵＥ１２のためのワイヤレス通信機能を提供する他の装置であり得る。説明を容易にするために、本発明のこの実施形態においては、ＵＥ１２のためのワイヤレス通信機能を提供する装置は、基地局１１と呼ばれる。
【０１００】
ＵＥ１２は、ワイヤレス端末又は有線端末であり得る。ワイヤレス端末は、ユーザのための音声及び／又はデータ接続性を提供するデバイス、ワイヤレス接続機能を有するハンドヘルドデバイス（モバイルフォン、インテリジェント端末、マルチメディアデバイス、又はストリーミング媒体デバイスなど）、車載デバイス、ウェアラブルデバイス、コンピューティングデバイス、又はワイヤレスモデムに接続される他の処理デバイスであり得る。ワイヤレス端末は、無線アクセスネットワーク（例えば、Ｒａｄｉｏ  Ａｃｃｅｓｓ  Ｎｅｔｗｏｒｋ、ＲＡＮ）を用いて、１つ又は複数のコアネットワークと通信し得る。ワイヤレス端末は、モバイルフォン（又は「セルラー」電話と呼ばれる）などのモバイル端末、及びモバイル端末を有するコンピュータであり得る。例えば、ワイヤレス端末は、無線アクセスネットワークとの間で音声及び／又はデータをやり取りする、ポータブルな、ポケットサイズの、ハンドヘルドの、コンピュータ内蔵の、又は車載のモバイル装置であり得る。
【０１０１】
例えば、ワイヤレス端末は、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話セット、セッション開始プロトコル（ＳＩＰ）電話、ワイヤレスローカルループ（ＷＬＬ、Ｗｉｒｅｌｅｓｓ  Ｌｏｃａｌ  Ｌｏｏｐ）ステーション、又は携帯情報端末（Ｐｅｒｓｏｎａｌ  Ｄｉｇｉｔａｌ  Ａｓｓｉｓｔａｎｔ、ＰＤＡ）などのデバイスであり得る。ワイヤレス端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、又はユーザエージェント（Ｕｓｅｒ  Ａｇｅｎｔ）と呼ばれることもある。実施形態においては、図１において示されるように、本発明におけるネットワーク構成に含まれるＵＥ１２は、モバイルフォンである。
【０１０２】
本発明のこの実施形態においては、基地局１１及びＵＥ１２は、ビームペアの１つ又は複数のグループを用いて互いに通信する。図１において示されるように、基地局１１及びＵＥ１２は、ビームペア１を用いて第１の時点において互いにデータを送信し得るし、ビームペア２を用いて第２の時点において互いにデータを送信し得る。
【０１０３】
図２は、本発明の実施形態による基地局の概略構成図である。図２において示されるように、この基地局は、少なくとも１つのプロセッサ２１、メモリ２２、トランシーバ２３、及びバス２４を含み得る。
【０１０４】
以下では、基地局の各コンポーネントについて、図２を参照しながら詳細に記述する。
【０１０５】
プロセッサ２１は、基地局の制御センタであり、プロセッサであり得るし、又は複数の処理要素の一般的な名前であり得る。例えば、プロセッサ２１は、中央処理装置（Ｃｅｎｔｒａｌ  Ｐｒｏｃｅｓｓｉｎｇ  Ｕｎｉｔ、ＣＰＵ）であり、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、若しくは本発明のこの実施形態を実施するように構成される１つ又は複数の集積回路、例えば、１つ又は複数のマイクロプロセッサ（Ｄｉｇｉｔａｌ  Ｓｉｇｎａｌ  Ｐｒｏｃｅｓｓｏｒ、ＤＳＰ）、若しくは１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）であり得る。
【０１０６】
プロセッサ２１は、メモリ２２内に格納されるソフトウェアプログラムを走らせる又は実行すること、及びメモリ２２内に格納されるデータを呼び出すことによって、基地局の様々な機能を実装し得る。
【０１０７】
特定の実施中に、実施形態においては、プロセッサ２１は、１つ又は複数のＣＰＵ、例えば、図２において示されるＣＰＵ０及びＣＰＵ１を含み得る。
【０１０８】
特定の実施中に、実施形態においては、基地局は、複数のプロセッサ、例えば、図２において示されるプロセッサ２１及びプロセッサ２５を含み得る。これらのプロセッサのそれぞれは、シングルコアプロセッサ（シングルＣＰＵ）であり得るし、又はマルチコアプロセッサ（マルチＣＰＵ）であり得る。本明細書におけるプロセッサは、データ（例えば、コンピュータプログラム命令）を処理するように構成される１つ又は複数のデバイス、回路、及び／又は処理コアであり得る。
【０１０９】
メモリ２２は、読み取り専用メモリ（Ｒｅａｄ−Ｏｎｌｙ  Ｍｅｍｏｒｙ、ＲＯＭ）若しくは静的な情報及び命令を格納することができる他のタイプの静的なストレージデバイス、若しくはランダムアクセスメモリ（Ｒａｎｄｏｍ  Ａｃｃｅｓｓ  Ｍｅｍｏｒｙ、ＲＡＭ）若しくは情報及び命令を格納することができる他のタイプの動的なストレージデバイスであり得るし、又は電気的消去可能プログラム可能読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、若しくはその他のコンパクトディスクストレージ若しくは光ディスクストレージ（圧縮光ディスク、レーザーディスク、光ディスク、デジタル多用途ディスク、ブルーレイディスクなどを含む）、磁気ディスクストレージ媒体若しくは他の磁気ストレージデバイス、若しくは命令若しくはデータ構造の形態の期待されるプログラムコードを搬送若しくは格納することができ、コンピュータによってアクセスされることができるその他の任意の媒体であり得るが、それらには限定されない。メモリ２２は、独立して存在し得るし、バス２４を用いてプロセッサ２１に接続される。代替的に、メモリ２２は、プロセッサ２１と統合され得る。
【０１１０】
メモリ２２は、本発明のソリューションを実行するソフトウェアプログラムを格納するように構成され、プロセッサ２１は、そのソフトウェアプログラムの実行を制御する。
【０１１１】
トランシーバ２３は、他のデバイス、又はイーサネット、無線アクセスネットワーク（Ｒａｄｉｏ  Ａｃｃｅｓｓ  Ｎｅｔｗｏｒｋ、ＲＡＮ）、若しくはワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信するように構成される。トランシーバ２３は、ベースバンドプロセッサの全て又は一部を含み得るし、任意選択でＲＦプロセッサをさらに含み得る。ＲＦプロセッサは、ＲＦ信号を送信及び受信するように構成される。ベースバンドプロセッサは、ＲＦ信号から変換されたベースバンド信号、又はＲＦ信号へと変換されることになるベースバンド信号を処理するように構成される。
【０１１２】
バス２４は、インダストリスタンダードアーキテクチャ（Ｉｎｄｕｓｔｒｙ  Ｓｔａｎｄａｒｄ  Ａｒｃｈｉｔｅｃｔｕｒｅ、ＩＳＡ）バス、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス、エクステンデッドインダストリスタンダード構成（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであり得る。このバスは、アドレスバス、データバス、制御バスなどへと分類され得る。表示を容易にするために、このバスは、図２においては唯一の太線を用いて示される。しかし、それは、１つのバスしかない、又は１つのタイプのバスしかないことを示すわけではない。
【０１１３】
図２において示されるデバイス構造は、基地局に対するいかなる限定も構成しない。図において示されるコンポーネントよりも多い又は少ないコンポーネントが含まれ得るし、又はいくつかのコンポーネントが組み合わされ、又はコンポーネントの配置が異なる。
【０１１４】
図３は、本発明の実施形態によるＵＥの概略構成図である。図３において示されるように、このＵＥは、少なくとも１つのプロセッサ３１、メモリ３２、トランシーバ３３、及びバス３４を含み得る。
【０１１５】
以下では、ＵＥの各コンポーネントについて、図３を参照しながら詳細に記述する。
【０１１６】
プロセッサ３１は、プロセッサであり得るし、又は複数の処理要素の一般的な名前であり得る。例えば、プロセッサ３１は、汎用ＣＰＵであり得るし、又は本発明のソリューションプログラムの実行を制御するように構成されるＡＳＩＣ若しくは１つ又は複数の集積回路、例えば、１つ又は複数のＤＳＰ若しくは１つ又は複数のＦＰＧＡであり得る。プロセッサ３１は、メモリ３２内に格納されるソフトウェアプログラムを走らせる又は実行すること、及びメモリ３２内に格納されるデータを呼び出すことによって、ＵＥの様々な機能を実装し得る。
【０１１７】
特定の実施中に、実施形態においては、プロセッサ３１は、１つ又は複数のＣＰＵを含み得るし、例えば、図３において示されるように、プロセッサ３１は、ＣＰＵ０及びＣＰＵ１を含む。
【０１１８】
特定の実施中に、実施形態においては、ＵＥは、複数のプロセッサを含み得る。例えば、図３において示されるように、ＵＥは、プロセッサ３１及びプロセッサ３５を含む。これらのプロセッサのそれぞれは、シングルＣＰＵであり得るし、又はマルチＣＰＵであり得る。本明細書におけるプロセッサは、データ（例えば、コンピュータプログラム命令）を処理するように構成される１つ又は複数のデバイス、回路、及び／又は処理コアであり得る。
【０１１９】
メモリ３２は、ＲＯＭ若しくは静的な情報及び命令を格納することができる他のタイプの静的なストレージデバイス、若しくはＲＡＭ若しくは情報及び命令を格納することができる他のタイプの動的なストレージデバイスであり得るし、又はＥＥＰＲＯＭ、ＣＤ−ＲＯＭ、若しくはその他のコンパクトディスクストレージ若しくは光ディスクストレージ（圧縮光ディスク、レーザーディスク、光ディスク、デジタル多用途ディスク、ブルーレイディスクなどを含む）、磁気ディスクストレージ媒体若しくは他の磁気ストレージデバイス、若しくは命令若しくはデータ構造の形態の期待されるプログラムコードを搬送若しくは格納することができ、コンピュータによってアクセスされることができるその他の任意の媒体であり得るが、それらには限定されない。メモリ３２は、独立して存在し得るし、バス３４を用いてプロセッサ３１に接続される。代替的に、メモリ３２は、プロセッサ３１と統合され得る。
【０１２０】
トランシーバ３３は、他のデバイス、又はイーサネット、ＲＡＮ、若しくはＷＬＡＮなどの通信ネットワークと通信するように構成される。トランシーバ３３は、受信機能を実装するための受信ユニットと、送信機能を実装するための送信ユニットとを含み得る。
【０１２１】
バス３４は、ＩＳＡバス、ＰＣＩバス、ＥＩＳＡバスなどであり得る。このバスは、アドレスバス、データバス、制御バスなどへと分類され得る。表示を容易にするために、このバスは、図３においては唯一の太線を用いて示される。しかし、それは、１つのバスしかない、又は１つのタイプのバスしかないことを示すわけではない。
【０１２２】
図３において示されるデバイス構造は、ＵＥに対するいかなる限定も構成しない。図において示されるコンポーネントよりも多い又は少ないコンポーネントが含まれ得るし、又はいくつかのコンポーネントが組み合わされ、又はコンポーネントの配置が異なる。図示されてはいないが、ＵＥは、バッテリ、カメラ、Ｂｌｕｅｔｏｏｔｈモジュール、ＧＰＳモジュール、ディスプレイなどをさらに含み得る。詳細がここで記述されることはない。
【０１２３】
図４Ａ、図４Ｂ、図４Ｃ、及び図４Ｄは、本発明の実施形態によるリンク再確立方法のフローチャートである。図４Ａ、図４Ｂ、図４Ｃ、及び図４Ｄにおいて示されるように、この方法は、下記のステップを含み得る。
【０１２４】
４０１．基地局が、第１のダウンリンクビームペアセットを用いて第２のダウンリンクチャネル上でＵＥへ第２のダウンリンク信号を送信する。
【０１２５】
ビームフォーミング技術が使用される通信システムにおいては、ＵＥが基地局に正常にアクセスすることができるためには、また、基地局との安定した通信を保持することができるためには、ＵＥ及び基地局はそれぞれ、ビームトレーニングプロセスを実行して、ダウンリンクデータ送信のために使用されるＮ個のさらに良好なダウンリンクビームペアと、アップリンクデータ送信のために使用されるＭ個のさらに良好なアップリンクビームペアとを決定することを必要とし、それによって基地局及びＵＥは、決定されたさらに良好なペアをその後の通信プロセスにおいて用いて互いにデータを送る。Ｎ及びＭはそれぞれ、１以上の整数である。ダウンリンクビームペアが＜Ｂｘ，Ｂｘ’＞であると想定される。Ｂｘは基地局の送信ビームを表し、Ｂｘ’はＵＥの受信ビームを表す。アップリンクビームペアが＜Ｂｙ，Ｂｙ’＞であると想定され、ＢｙはＵＥの送信ビームを表し、Ｂｙ’は基地局の受信ビームを表す。
【０１２６】
例えば、基地局が、ＵＥへ第２のダウンリンク信号を送信することを必要とするとき、基地局は、第２のダウンリンクチャネルを通じて第１のダウンリンクビームペアセットを用いてＵＥへ第２のダウンリンク信号を送信し得る。第２のダウンリンク信号は、基地局により事前に設定されていて制御チャネル又はデータチャネルに関連付けられる信号であり得る。例えば、第２のダウンリンク信号は、チャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ、ＣＳＩ−ＲＳ）であるか、又は第２のダウンリンク信号は、同期信号である。第１のダウンリンクビームペアセットは、少なくとも１つのダウンリンクビームペアを含む。
【０１２７】
例えば、２つのダウンリンクビームペアが、ビームトレーニングプロセスにおいて決定され、それぞれ＜Ｂ１，Ｂ１’＞及び＜Ｂ２，Ｂ２’＞であると想定される。図５から図８において示されるように、基地局が、ＵＥへＣＳＩ−ＲＳを送信することを必要とするとき、基地局は、ダウンリンクビームペア＜Ｂ１，Ｂ１’＞及びダウンリンクビームペア＜Ｂ２，Ｂ２’＞を用いて第２のダウンリンクチャネルを通じてＵＥへＣＳＩ−ＲＳを送信し得る。
【０１２８】
４０２．ＵＥは、第１のダウンリンクビームペアセットを用いて第２のダウンリンクチャネル上で第２のダウンリンク信号を検出する。
【０１２９】
例えば、図５から図８において示されるように、ＵＥは、ダウンリンクビームペア＜Ｂ１，Ｂ１’＞及びダウンリンクビームペア＜Ｂ２，Ｂ２’＞を用いて第２のダウンリンクチャネル上でＣＳＩ−ＲＳを検出し得る。
【０１３０】
４０３．第１のダウンリンクビームペアセットが無効であることを検出したとき、ＵＥは、第１のアップリンクチャネルを通じて第１のアップリンクビームペアセットを用いて時点ｎにおいて基地局へ第１のアップリンク信号を送信する。
【０１３１】
例えば、ＵＥが、第１のダウンリンクビームペアセットを用いて第２のダウンリンクチャネル上で第２のダウンリンク信号を検出するプロセスにおいて、検出された第２のダウンリンク信号がプリセット条件を満たすと判定したとき、ＵＥは、第１のダウンリンクビームペアセットが無効であると決定し得る、即ち、ダウンリンクに欠陥があると決定し得る。
【０１３２】
検出された第２のダウンリンク信号の参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）がプリセット閾値未満であることを決定したとき、ＵＥは、検出された第２のダウンリンク信号がプリセット条件を満たすと判定し得る。プリセット閾値は、実際の適用シナリオにおける要件に従って設定され得るし、本発明のこの実施形態においては、ここで特に限定されることはない。例えば、図５から図８において示されるように、ＵＥは、ダウンリンクビームペア＜Ｂ１，Ｂ１’＞及びダウンリンクビームペア＜Ｂ２，Ｂ２’＞を用いて第２のダウンリンクチャネル上で第２のダウンリンク信号を検出し得るし、検出された第２のダウンリンク信号のＲＳＲＰがプリセット閾値未満であると判定したとき、ダウンリンクビームペア＜Ｂ１，Ｂ１’＞及びダウンリンクビームペア＜Ｂ２，Ｂ２’＞が無効であると決定する。
【０１３３】
第１のダウンリンクビームペアセットが無効であることをＵＥが検出することは、具体的には下記の通りであり得る。第１のダウンリンクビームペアセット内のＭ個の第１のダウンリンクビームペアのうちのＮ個の第１のダウンリンクビームペアの品質が、特定の閾値未満である。第１のダウンリンクビームペアセットに含まれるＭ個の第１のダウンリンクビームペアは、Ｍ個の第１のダウンリンク参照信号に対応する。図４Ｅにおいて示されるように、第１のダウンリンクビームペアの品質は、その第１のダウンリンクビームペアに対応する第１のダウンリンク参照信号の受信品質を検出することによって決定される。第１のダウンリンク参照信号は、同じＱＣＬ想定を有するダウンリンク制御チャネル（ＮＲ−ＰＤＣＣＨ）上のＣＳＩ−ＲＳ、同じＱＣＬ想定を有するＳＳブロック、同じＱＣＬ想定を有する共通制御チャネル（ｃｏｍｍｏｎ  ｃｏｎｔｒｏｌ  ｃｈａｎｎｅｌ）上のＤＭＲＳ、又は同じＱＣＬ想定を有するグループ共通制御チャネル上のＤＭＲＳであり得る。
【０１３４】
第１のダウンリンクビームペアセットが無効であることを検出したとき、ＵＥは、第１のアップリンクチャネルを通じて第１のアップリンクビームペアセットを用いて時点ｎにおいて基地局へ、第１のダウンリンクビームペアセットが無効であることを基地局に通知するために使用される第１のアップリンク信号を送信し得る。第１のアップリンクビームペアセットは、少なくとも１つの第１のアップリンクビームペアを含む。例えば、１つのアップリンクビームペア＜Ｂ３，Ｂ３’＞がビームトレーニングプロセスにおいて決定されると想定される。図５から図８において示されるように、ＵＥは、第１のアップリンクチャネルを通じてアップリンクビームペア＜Ｂ３，Ｂ３’＞を用いて時点ｎにおいて基地局へ第１のアップリンク信号を送信し得る。
【０１３５】
本発明のこの実施形態においては、第１のアップリンク信号は、下記の２つのタイプであり得る。
【０１３６】
第１のタイプ：第１のアップリンク信号は、ビーム失敗報告（ｂｅａｍ  ｆａｉｌｕｒｅ  ｒｅｐｏｒｔ）又はビーム回復要求（ｂｅａｍ  ｒｅｃｏｖｅｒｙ  ｒｅｑｕｅｓｔ）である。ＵＥがダウンリンクビームペアセットを再決定する能力を有しないとき、又はＵＥがダウンリンクビームペアセットを再決定する能力を有するが、ダウンリンクデータ送信のために使用されるダウンリンクビームペアセットを決定しないとき、ＵＥは、第１のタイプの第１のアップリンク信号を基地局へ送信し得る。
【０１３７】
第２のタイプ：第１のアップリンク信号は、ビーム失敗報告又はビーム回復要求であり、第１のアップリンク信号は、ターゲットダウンリンクビームペアセットに関する情報を含む。ＵＥが、ダウンリンクビームペアセットを再決定する能力を有していて、ダウンリンクデータ送信のために使用されることができるダウンリンクビームペアセットを決定したとき、ＵＥは、決定されたダウンリンクビームペアセットを、ターゲットダウンリンクビームペアセットとして基地局に推奨し得るし、第２のタイプの第１のアップリンク信号を基地局へ送信し得る。ターゲットダウンリンクビームペアセットは、基地局によりダウンリンクデータをＵＥへ送信するために使用され、ターゲットダウンリンクビームペアセットに関する情報は、ターゲットダウンリンクビームペアセットのビーム識別子及びビーム品質を含み得る。
【０１３８】
例えば、ターゲットダウンリンクビームペアセットのビーム品質は、ターゲットダウンリンクビームペアセット内の各ターゲットダウンリンクビームペアのＲＳＲＰであり得るし、又はデータが特定の送信モードで送られると想定されるときに使用されるチャネル品質インジケータ（Ｃｈａｎｎｅｌ  Ｑｕａｌｉｔｙ  Ｉｎｄｉｃａｔｏｒ、ＣＱＩ）であり得る。その送信モードは、空間周波数ブロックコード（Ｓｐａｃｅ  Ｆｒｅｑｕｅｎｃｙ  Ｂｌｏｃｋ  Ｃｏｄｅ、ＳＦＢＣ）又はプリコーダサイクリング（ｐｒｅｃｏｄｅｒ  ｃｙｃｌｉｎｇ）であり得る。
【０１３９】
４０４．基地局は、第１のアップリンクビームペアセットを用いて第１のアップリンクチャネル上で第１のアップリンク信号を検出する。
【０１４０】
例えば、図５から図８において示されるように、基地局は、アップリンクビームペア＜Ｂ３，Ｂ３’＞を用いて第１のアップリンクチャネル上で第１のアップリンク信号を検出し、様々な検出結果に基づいて下記のステップを実行し得る。詳細は下記の通りである。
【０１４１】
図５において示されるように、基地局が、第１のアップリンクビームペアセットを用いて第１のアップリンクチャネル上で第１のアップリンク信号を検出し、かつ検出された第１のアップリンク信号が第１のタイプであるとき、基地局は、図４Ａにおいて示されるように、下記のステップ４０５ａからステップ４０７ａを実行し得る。
【０１４２】
図６において示されるように、基地局が、第１のアップリンクビームペアセットを用いて第１のアップリンクチャネル上で第１のアップリンク信号を検出し、かつ検出された第１のアップリンク信号が第２のタイプであるとき、基地局は、図４Ｂにおいて示されるように、下記のステップ４０５ｂ及びステップ４０６ｂを実行し得る。
【０１４３】
図７において示されるように、基地局が、第１のアップリンクビームペアセットを用いて第１のアップリンクチャネル上で第１のアップリンク信号を検出せず、かつステップ４０３においてＵＥにより送信された第１のアップリンク信号が第１のタイプであるとき、基地局は、図４Ｃにおいて示されるように、下記のステップ４０５ｃからステップ４０９ｃを実行し得る。
【０１４４】
図８において示されるように、基地局が、第１のアップリンクビームペアセットを用いて第１のアップリンクチャネル上で第１のアップリンク信号を検出せず、かつステップ４０３においてＵＥにより送信された第１のアップリンク信号が第２のタイプであるとき、基地局は、図４Ｄにおいて示されるように、下記のステップ４０５ｄからステップ４０９ｄを実行し得る。
【０１４５】
４０５ａ．基地局は、第１のダウンリンクチャネルを通じて第２のダウンリンクビームペアセットを用いてＵＥへ第１のダウンリンク信号を送信する。
【０１４６】
基地局が第１のアップリンク信号を検出し、かつ検出された第１のアップリンク信号が第１のタイプであるとき、基地局は、第１のダウンリンクビームペアセットが無効であることを知り得る。このケースにおいては、基地局は、第１のダウンリンクチャネルを通じて第２のダウンリンクビームペアセットを用いてＵＥへ第１のダウンリンク信号を送信し得る。第１のダウンリンク信号は、基地局が第１のアップリンク信号を受信するということを知らせるために使用される。具体的には、第１のダウンリンク信号は、第１のアップリンク信号の応答信号である。例えば、第１のダウンリンク信号は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）であり得るし、又は第１のダウンリンク信号は、第１の測定パイロットであり得る。例えば、図５において示されるように、基地局は、ダウンリンクビームペア＜Ｂ４，Ｂ４’＞、ダウンリンクビームペア＜Ｂ５，Ｂ５’＞、ダウンリンクビームペア＜Ｂ６，Ｂ６’＞、及びダウンリンクビームペア＜Ｂ７，Ｂ７’＞を用いて第１のダウンリンクチャネルを通じてＵＥへＰＤＣＣＨを繰り返し送信する。
【０１４７】
例えば、第２のダウンリンクビームペアセット内の各第２のダウンリンクビームペアのビーム情報は、基地局において事前に設定される。この方法においては、各第２のダウンリンクビームペアに関して、基地局は、第１のダウンリンクチャネルを通じて第２のダウンリンクビームペアを用いて第２のダウンリンクビームペアの事前に設定されるビーム情報に基づいてＵＥへ第１のダウンリンク信号を送信し得る。ビーム情報は、品質制御レベル（Ｑｕａｌｉｔｙ  Ｃｏｎｔｒｏｌ  Ｌｅｖｅｌ、ＱＣＬ）情報であり得るし、ビーム情報は、ビームペア情報を含み得る。
【０１４８】
例えば、ビーム情報は、各直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルに対応するビームパターン（ｐａｔｔｅｒｎ）を含み、又はＯＦＤＭシンボルと、様々なＣＳＩ−ＲＳ、若しくは様々なＣＳＩ−ＳＳのＱＣＬとの間における関連付けを含む。例えば、第１のＯＦＤＭシンボルが、ビーム１に対応するＣＳＩ−ＲＳ構成（ｃｏｎｆｉｇｕｒａｔｉｏｎ）１に関連付けられ、第２のＯＦＤＭシンボルが、ビーム２に対応するＣＳＩ−ＲＳ構成２に関連付けられる。
【０１４９】
４０６ａ．ＵＥは、第１のダウンリンクチャネルを通じて第２のダウンリンクビームペアセットを用いて基地局により送信された第１のダウンリンク信号を時点ｎ＋ｋにおいて検出して、第１の検出結果を取得する。
【０１５０】
ＵＥは、第１のダウンリンクチャネルを通じて第２のダウンリンクビームペアセットを用いて基地局により送信された第１のダウンリンク信号を時点ｎ＋ｋにおいて検出して、第１の検出結果を取得し得る。加えて、さらにＵＥは、第１の検出結果に基づいて第２のダウンリンクビームペアセット及び／又は他のダウンリンクビームペアセットからさらに良好なダウンリンクビームペアセットを選択し、選択されたダウンリンクビームペアセットをターゲットダウンリンクビームペアセットとして使用し得る。決定されたターゲットダウンリンクビームペアセットは、少なくとも１つのターゲットダウンリンクビームペアを含み得る。
【０１５１】
例えば、図５において示されるように、ＵＥは、ダウンリンクビームペア＜Ｂ４，Ｂ４’＞、ダウンリンクビームペア＜Ｂ５，Ｂ５’＞、ダウンリンクビームペア＜Ｂ６，Ｂ６’＞、及びダウンリンクビームペア＜Ｂ７，Ｂ７’＞を用いて第１のダウンリンクチャネルを通じて基地局により送信された第１のダウンリンク信号を時点ｎ＋ｋにおいて別々に検出して、第１の検出結果を取得し、第１の検出結果に基づいてダウンリンクビームペア＜Ｂ４，Ｂ４’＞、ダウンリンクビームペア＜Ｂ５，Ｂ５’＞、ダウンリンクビームペア＜Ｂ６，Ｂ６’＞、及びダウンリンクビームペア＜Ｂ７，Ｂ７’＞からさらに良好なダウンリンクビームペアを選択し、選択されたダウンリンクビームペアセットをターゲットダウンリンクビームペアセットとして使用する。ＵＥによって決定されたターゲットダウンリンクビームペアが＜Ｂ４，Ｂ４’＞であると想定される。もちろん、ＵＥによって決定されたターゲットダウンリンクビームペアセットが第２のダウンリンクビームペアセットに属しないこともある。
【０１５２】
例えば、ステップ４０６ａは、３つの様式で実施され得る。
【０１５３】
第１の可能な実装においては、第１のダウンリンク信号は、ダウンリンク制御チャネル（ＮＲ−ＰＤＣＣＨ）であり、ダウンリンク制御チャネルは、第１の測定パイロットの構成情報を含む。ＵＥは、第２のダウンリンクビームペアセットに基づいて時点ｎ＋ｋにおいてダウンリンク制御チャネル上でブラインド検出を実行して、第１の測定結果を取得し得る。第２のダウンリンクビームペアセットは、ビーム回復のために使用される事前に設定されるビームペアセットであり、第２のダウンリンクビームペアセットは、第１のダウンリンクビームペアセットとは異なる。ＵＥが第２のダウンリンクビームペアセットに基づいて時点ｎ＋ｋにおいてダウンリンク制御チャネル上でブラインド検出を実行して、第１の測定結果を取得することは、具体的には下記の通りであり得る。ＵＥは、第１の測定パイロットの構成情報に基づいて時点ｎ＋ｋにおいて第１の測定パイロットを測定して、第１の検出結果を取得する。第１の測定パイロットは、ビーム測定パイロットであり、第１の測定結果は、ターゲットダウンリンクビームペアセットに関する情報である。
【０１５４】
第２の可能な実装においては、第１のダウンリンク信号は、第１の測定パイロットであり、第１の測定パイロットの構成情報は、ＵＥにおいて事前に設定される。ＵＥは、第２のダウンリンクビームペアセットに基づいて時点ｎ＋ｋにおいてダウンリンク制御チャネル上でブラインド検出を実行して、第１の測定結果を取得し得る。第２のダウンリンクビームペアセットは、ビーム回復のために使用される事前に設定されるビームペアセットであり、第２のダウンリンクビームペアセットは、第１のダウンリンクビームペアセットとは異なる。ＵＥが第２のダウンリンクビームペアセットに基づいて時点ｎ＋ｋにおいてダウンリンク制御チャネル上でブラインド検出を実行して、第１の測定結果を取得することは、具体的には下記の通りであり得る。ＵＥは、第１の測定パイロットの構成情報に基づいて第１の測定パイロットを測定して、第１の検出結果を取得する。第１の測定パイロットは、ビーム測定パイロットであり、第１の測定結果は、ターゲットダウンリンクビームペアセットに関する情報である。
【０１５５】
第３の可能な実装においては、第１のダウンリンク信号は、ダウンリンク制御チャネル（ＮＲ−ＰＤＣＣＨ）である。ＵＥは、ダウンリンク制御チャネル上の検出に基づいて時点ｎ＋ｋにおいて第１の測定結果を取得し得る。第１の測定結果は、ターゲットダウンリンクビームペアセットに関する情報である。
【０１５６】
加えて、さらにダウンリンク制御チャネルは、第１の測定結果を報告するために利用されるアップリンクリソース情報を含み得る。アップリンクリソース情報は、アップリンク時間−周波数リソース及び／又は第２のアップリンクビームペアセットに関する情報を含む。第２のアップリンクビームペアセットは、第１のアップリンクビームペアセットとは異なるビームペアセットであり得るし、第１のアップリンクビームペアセットと同じビームペアセットであり得るし、又は第１のアップリンクビームペアセット内のいくつかのアップリンクビームペアを含むセットであり得る。
【０１５７】
４０７ａ．ＵＥは、アップリンクリソース情報に基づいて時点ｎ＋ｋ＋ｋ１において基地局へ第１の測定結果を送信する。
【０１５８】
第１の測定結果を取得した後、ＵＥは、アップリンクリソース情報に基づいて時点ｎ＋ｋ＋ｋ１において、ターゲットダウンリンクビームペアセットを含む第１の測定結果を基地局へ送信し得る。この方法においては、第１の測定結果を受信した後、基地局は、受信された第１の測定結果に基づいて第３のダウンリンクビームペアセットを決定し得る。第３のダウンリンクビームペアセットは、ターゲットダウンリンクビームペアセットとは異なるビームペアセットであり得るし、ターゲットダウンリンクビームペアセットと同じビームペアセットであり得るし、又はターゲットダウンリンクビームペアセット内のいくつかのダウンリンクビームペアを含むセットであり得る。この方法においては、ＵＥは、時点ｎ＋ｋ＋ｋ１＋ｋ２において第３のダウンリンクチャネルを検出して、第３のダウンリンクビームペアセットに関する情報を取得して、その後、第３のダウンリンクビームペアセットに関する情報に基づいて基地局と通信し得る。基地局は、第１の測定結果に含まれるターゲットダウンリンクビームペアセットを用いて第３のダウンリンクビームペアセットに関する情報を第３のダウンリンクチャネル上でＵＥへ送信し得る。
【０１５９】
例えば、図５において示されるように、ＵＥによって決定されたターゲットダウンリンクビームペアが＜Ｂ４，Ｂ４’＞であると想定すると、ＵＥは、ターゲットダウンリンクビームペア＜Ｂ４，Ｂ４’＞に関する情報を含む第１の測定結果を基地局へ送信し得る。基地局が第１の測定結果に基づいて第３のダウンリンクビームペアセットを決定した後、決定された第３のダウンリンクビームペアが＜Ｂ４，Ｂ４’＞である場合、基地局は、ダウンリンクビームペア＜Ｂ４，Ｂ４’＞に関する情報をＵＥへ送信し得る。この方法においては、その後の通信において、基地局は、ダウンリンクビームペア＜Ｂ４，Ｂ４’＞を用いてＵＥへダウンリンクデータを送信し得る。
【０１６０】
ＵＥが、時点ｎ＋ｋ＋ｋ１＋ｋ２において第３のダウンリンクチャネルを検出して、第３のダウンリンクビームペアセットに関する情報を取得することは、具体的には下記の通りであり得る。ＵＥは、第１の測定結果におけるターゲットダウンリンクビームペアセット内のＮ個の最適なターゲットダウンリンクビームペアに基づいて時点ｎ＋ｋ＋ｋ１＋ｋ２において第３のダウンリンクチャネル上でブラインド検出を実行して、第３のダウンリンクビームペアセットに関する情報を取得する。
【０１６１】
４０５ｂ．基地局は、第１のダウンリンクチャネルを通じて第１のターゲットダウンリンクビームペアセットを用いてＵＥへ第１のダウンリンク信号を送信する。
【０１６２】
基地局が第１のアップリンク信号を検出し、かつ検出された第１のアップリンク信号が第２のタイプであるとき、基地局は、第１のダウンリンクビームペアセットが無効であることを知り得るし、ＵＥによって推奨されるダウンリンクビームペアセット、即ち、第１のターゲットダウンリンクビームペアセットを知り得る。このケースにおいては、基地局は、第１のダウンリンクチャネルを通じて第１のターゲットダウンリンクビームペアセットを用いてＵＥへ第１のダウンリンク信号を送信し得る。例えば、図６において示されるように、基地局は、第１のダウンリンクチャネルを通じてダウンリンクビームペア＜Ｂ４，Ｂ４’＞を用いてＵＥへ第１のダウンリンク信号を送信する。
【０１６３】
例えば、第１のターゲットダウンリンクビームペアセット内の各第１のターゲットダウンリンクビームペアのビーム情報は、基地局において事前に設定される。この方法においては、各第１のターゲットダウンリンクビームペアに関して、基地局は、第１のダウンリンクチャネルを通じて第１のターゲットダウンリンクビームペアを用いて第１のターゲットダウンリンクビームペアの事前に設定されるビーム情報に基づいてＵＥへ第１のダウンリンク信号を送信し得る。ビーム情報は、ＱＣＬ情報であり得る。ビーム情報は、ビームペア情報を含み得るし、例えば、各ＯＦＤＭシンボルに対応するビームパターン（ｐａｔｔｅｒｎ）を含み得るし、又はＯＦＤＭシンボルと、様々なＣＳＩ−ＲＳ、若しくは様々なＣＳＩ−ＳＳのＱＣＬとの間における関連付けを含み得る。例えば、第１のＯＦＤＭシンボルが、ビーム１に対応するＣＳＩ−ＲＳ構成（ｃｏｎｆｉｇｕｒａｔｉｏｎ）１に関連付けられ、第２のＯＦＤＭシンボルが、ビーム２に対応するＣＳＩ−ＲＳ構成２に関連付けられる。
【０１６４】
４０６ｂ．ＵＥは、第１のダウンリンクチャネルを通じて第１のターゲットダウンリンクビームペアセットを用いて基地局により送信された第１のダウンリンク信号を時点ｎ＋ｋにおいて検出して、第１の検出結果を取得する。
【０１６５】
ＵＥは、第１のダウンリンクチャネルを通じて第１のターゲットダウンリンクビームペアセットを用いて基地局により送信された第１のダウンリンク信号を時点ｎ＋ｋにおいて検出して、第１の検出結果を取得し得る。加えて、さらにＵＥは、第１の検出結果に基づいて第１のターゲットダウンリンクビームペアセット及び／又は他のダウンリンクビームペアセットからさらに良好なダウンリンクビームペアセットを選択し、選択されたダウンリンクビームペアセットを第２のターゲットダウンリンクビームペアセットとして使用し得る。決定された第２のターゲットダウンリンクビームペアセットは、少なくとも１つのターゲットダウンリンクビームペアを含み得る。この方法においては、その後の通信において、基地局は、第２のターゲットダウンリンクビームペアセットを用いてＵＥと通信し得る。
【０１６６】
第２のターゲットダウンリンクビームペアセットは、第１のターゲットダウンリンクビームペアセットと同じであってもよく、第１のターゲットダウンリンクビームペアセットとは異なっていてもよく、又は第１のターゲットダウンリンクビームペアセット内のいくつかのダウンリンクビームペアを含んでいてもよい。
【０１６７】
例えば、図６において示されるように、ＵＥは、ダウンリンクビームペア＜Ｂ４，Ｂ４’＞を用いて第１のダウンリンクチャネル上で基地局により送信された第１のダウンリンク信号を測定し、測定結果に基づいて、ダウンリンクビームペア＜Ｂ４，Ｂ４’＞が第２のターゲットダウンリンクビームペアであることができると判定する。加えて、その後の通信において、基地局は、ダウンリンクビームペア＜Ｂ４，Ｂ４’＞を用いてＵＥへダウンリンクデータを送信し得る。
【０１６８】
例えば、ステップ４０６ｂは、３つの様式で実施され得る。
【０１６９】
第１の可能な実装においては、第１のダウンリンク信号は、ダウンリンク制御チャネル（ＮＲ−ＰＤＣＣＨ）であり、ダウンリンク制御チャネルは、第１の測定パイロットの構成情報を含む。ＵＥは、第１のターゲットダウンリンクビームペアセットに基づいて時点ｎ＋ｋにおいてダウンリンク制御チャネル上でブラインド検出を実行して、第１の測定結果を取得し得る。第１のターゲットダウンリンクビームペアセットは、第１のダウンリンクビームペアセットとは異なる。ＵＥが第１のターゲットダウンリンクビームペアセットに基づいて時点ｎ＋ｋにおいてダウンリンク制御チャネル上でブラインド検出を実行して、第１の測定結果を取得することは、具体的には下記の通りであり得る。ＵＥは、第１の測定パイロットの構成情報に基づいて時点ｎ＋ｋにおいて第１の測定パイロットを測定して、第１の検出結果を取得する。第１の測定パイロットは、ビーム測定パイロットであり、第１の測定結果は、第２のターゲットダウンリンクビームペアセットに関する情報である。
【０１７０】
第２の可能な実装においては、第１のダウンリンク信号は、第１の測定パイロットであり、第１の測定パイロットの構成情報は、ＵＥにおいて事前に設定される。ＵＥは、第１のターゲットダウンリンクビームペアセットに基づいて時点ｎ＋ｋにおいてダウンリンク制御チャネル上でブラインド検出を実行して、第１の測定結果を取得し得る。第１のターゲットダウンリンクビームペアセットは、第１のダウンリンクビームペアセットとは異なる。ＵＥが第１のターゲットダウンリンクビームペアセットに基づいて時点ｎ＋ｋにおいてダウンリンク制御チャネル上でブラインド検出を実行して、第１の測定結果を取得することは、具体的には下記の通りであり得る。ＵＥは、第１の測定パイロットの構成情報に基づいて第１の測定パイロットを測定して、第１の検出結果を取得する。第１の測定パイロットは、ビーム測定パイロットであり、第１の測定結果は、第２のターゲットダウンリンクビームペアセットに関する情報である。
【０１７１】
第３の可能な実装においては、第１のダウンリンク信号は、ダウンリンク制御チャネル（ＮＲ−ＰＤＣＣＨ）である。ＵＥは、ダウンリンク制御チャネル上の検出に基づいて時点ｎ＋ｋにおいて第１の測定結果を取得し得る。第１の測定結果は、第２のターゲットダウンリンクビームペアセットに関する情報である。
【０１７２】
加えて、さらに第１のダウンリンク信号は、第３のダウンリンクビームペアセットに関する情報を含み得る。このケースにおいては、ＵＥが、第１のダウンリンクチャネルを通じて第１のターゲットダウンリンクビームペアセットを用いて基地局により送信された第１のダウンリンク信号を時点ｎ＋ｋにおいて検出して、第１の検出結果を取得した後、ＵＥは、第３のダウンリンクビームペアセットに関する情報に基づいて基地局とさらに通信し得る。
【０１７３】
本発明のこの実施形態におけるステップ４０５ｂ及びステップ４０６ｂにおける特定のコンテンツの対応する説明に関しては、本発明のこの実施形態におけるステップ４０５ａからステップ４０７ａにおける対応するコンテンツの特定の説明を参照されたいことに留意されたい。本発明のこの実施形態においては、詳細がここで再び記述されることはない。
【０１７４】
４０５ｃ．ＵＥは、第１のダウンリンク信号が時点ｎ＋ｋにおいて検出されないと判定し、ＵＥは、第２のアップリンクチャネルを通じて第２のアップリンクビームペアセットを用いて時点ｎ＋ｋ＋ｋ１において基地局へ第１のアップリンク信号を再送する。
【０１７５】
基地局が第１のアップリンク信号を検出しないとき、基地局は、応答情報、即ち、第１のダウンリンク信号をＵＥへ返さない。このケースにおいては、ＵＥは、第１のダウンリンク信号が時点ｎ＋ｋにおいて検出されないと判定し、ＵＥは、第２のアップリンクチャネルを通じて第２のアップリンクビームペアセットを用いて基地局へ第１のアップリンク信号を再送し得る。このケースにおいては、第１のアップリンク信号は第１のタイプであると想定される。
【０１７６】
例えば、図７において示されるように、ＵＥは、アップリンクビームペア＜Ｂ８，Ｂ８’＞、アップリンクビームペア＜Ｂ９，Ｂ９’＞、アップリンクビームペア＜Ｂ１０，Ｂ１０’＞、及びアップリンクビームペア＜Ｂ１１，Ｂ１１’＞を用いて第２のアップリンクチャネルを通じて時点ｎ＋ｋにおいて基地局へ第１のアップリンク信号を再送する。例えば、第２のアップリンクビームペアセット内の各第２のアップリンクビームペアのビーム情報は、ＵＥにおいて事前に設定される。この方法においては、各第２のアップリンクビームペアに関して、ＵＥは、第２のアップリンクチャネルを通じて第２のアップリンクビームペアを用いて第２のアップリンクビームペアの事前に設定されるビーム情報に基づいて基地局へ第１のアップリンク信号を再送し得る。
【０１７７】
４０６ｃ．基地局は、第２のアップリンクチャネルを通じて第２のアップリンクビームペアセットを用いてＵＥにより送信された第１のアップリンク信号を検出して、第２の検出結果を取得し、第２の検出結果に基づいてターゲットアップリンクビームペアセットを決定する。
【０１７８】
第２のアップリンクビームペアセット内の各第２のアップリンクビームペアに関して、基地局は、第２のアップリンクチャネルを通じて第２のアップリンクビームペアを用いてＵＥにより送信された第１のアップリンク信号を検出して、第２の検出結果を取得し得る。このケースにおいては、基地局は、第２の検出結果に基づいて第２のアップリンクビームペアセット及び／又は他のアップリンクビームペアセットからさらに良好なアップリンクビームペアを選択し、選択されたアップリンクビームペアをターゲットアップリンクビームペアとして使用し得る。１つ又は複数の決定されたターゲットアップリンクビームペアがあり得る。
【０１７９】
例えば、図７において示されるように、基地局は、アップリンクビームペア＜Ｂ８，Ｂ８’＞、アップリンクビームペア＜Ｂ９，Ｂ９’＞、アップリンクビームペア＜Ｂ１０，Ｂ１０’＞、及びアップリンクビームペア＜Ｂ１１，Ｂ１１’＞を用いて第２のアップリンクチャネル上で基地局により送信される第１のアップリンク信号を別々に測定し、第２の測定結果に基づいてアップリンクビームペア＜Ｂ８，Ｂ８’＞、アップリンクビームペア＜Ｂ９，Ｂ９’＞、アップリンクビームペア＜Ｂ１０，Ｂ１０’＞、アップリンクビームペア＜Ｂ１１，Ｂ１１’＞、及び／又は他のアップリンクビームペアセットからさらに良好なアップリンクビームペアを選択し、選択されたアップリンクビームペアをターゲットアップリンクビームペアとして使用する。基地局により決定されたターゲットアップリンクビームペアは＜Ｂ９，Ｂ９’＞であると想定される。
【０１８０】
４０７ｃ．基地局は、第１のダウンリンクチャネルを通じて第２のダウンリンクビームペアセットを用いてＵＥへ第１のダウンリンク信号を送信する。
【０１８１】
第１のダウンリンク信号は、ターゲットアップリンクビームペアに関する情報を含む。
【０１８２】
４０８ｃ．ＵＥは、第１のダウンリンクチャネルを通じて第２のダウンリンクビームペアセットを用いて基地局により送信される第１のダウンリンク信号を時点ｎ＋ｋ＋ｋ１＋ｋ２において検出して、第１の検出結果を取得する。
【０１８３】
ＵＥは、第１のダウンリンクチャネルを通じて第２のダウンリンクビームペアセットを用いて基地局により送信される第１のダウンリンク信号を時点ｎ＋ｋ＋ｋ１＋ｋ２において検出して、第１の検出結果を取得し得る。加えて、さらにＵＥは、第１の検出結果に基づいて第２のダウンリンクビームペアセット及び／又は他のダウンリンクビームペアセットからさらに良好なダウンリンクビームペアセットを選択し、選択されたダウンリンクビームペアセットをターゲットダウンリンクビームペアセットとして使用し得る。
【０１８４】
決定されたターゲットダウンリンクビームペアセットは、少なくとも１つのターゲットダウンリンクビームペアを含み得る。ＵＥにより決定されたターゲットダウンリンクビームペアセットに含まれるダウンリンクビームペアは、第２のダウンリンクビームペアセットに属すこともあり、又は第２のダウンリンクビームペアセットに属しないこともある。
【０１８５】
例えば、ステップ４０８ｃは、３つの様式で実施され得る。
【０１８６】
第１の可能な実装においては、第１のダウンリンク信号は、ダウンリンク制御チャネル（ＮＲ−ＰＤＣＣＨ）であり、ダウンリンク制御チャネルは、第１の測定パイロットの構成情報を含む。ＵＥは、第２のダウンリンクビームペアセットに基づいて時点ｎ＋ｋ＋ｋ１＋ｋ２においてダウンリンク制御チャネル上でブラインド検出を実行して、第１の測定結果を取得し得る。第２のダウンリンクビームペアセットは、ビーム回復のために使用される事前に設定されるビームペアセットであり、第２のダウンリンクビームペアセットは、第１のダウンリンクビームペアセットとは異なる。ＵＥが第２のダウンリンクビームペアセットに基づいて時点ｎ＋ｋ＋ｋ１＋ｋ２においてダウンリンク制御チャネル上でブラインド検出を実行して、第１の測定結果を取得することは、具体的には下記の通りであり得る。ＵＥは、第１の測定パイロットの構成情報に基づいて時点ｎ＋ｋ＋ｋ１＋ｋ２において第１の測定パイロットを測定して、第１の検出結果を取得する。第１の測定パイロットは、ビーム測定パイロットであり、第１の測定結果は、ターゲットダウンリンクビームペアセットに関する情報である。
【０１８７】
第２の可能な実装においては、第１のダウンリンク信号は、第１の測定パイロットであり、第１の測定パイロットの構成情報は、ＵＥにおいて事前に設定される。ＵＥは、第２のダウンリンクビームペアセットに基づいて時点ｎ＋ｋ＋ｋ１＋ｋ２においてダウンリンク制御チャネル上でブラインド検出を実行して、第１の測定結果を取得し得る。第２のダウンリンクビームペアセットは、ビーム回復のために使用される事前に設定されるビームペアセットであり、第２のダウンリンクビームペアセットは、第１のダウンリンクビームペアセットとは異なる。ＵＥが第２のダウンリンクビームペアセットに基づいて時点ｎ＋ｋ＋ｋ１＋ｋ２においてダウンリンク制御チャネル上でブラインド検出を実行して、第１の測定結果を取得することは、具体的には下記の通りであり得る。ＵＥは、第１の測定パイロットの構成情報に基づいて第１の測定パイロットを測定して、第１の検出結果を取得する。第１の測定パイロットは、ビーム測定パイロットであり、第１の測定結果は、ターゲットダウンリンクビームペアセットに関する情報である。
【０１８８】
第３の可能な実装においては、第１のダウンリンク信号は、ダウンリンク制御チャネル（ＮＲ−ＰＤＣＣＨ）である。ＵＥは、ダウンリンク制御チャネル上の検出に基づいて時点ｎ＋ｋ＋ｋ１＋ｋ２において第１の測定結果を取得し得る。第１の測定結果は、ターゲットダウンリンクビームペアセットに関する情報である。
【０１８９】
加えて、さらにダウンリンク制御チャネルは、第１の測定結果を報告するために利用されるアップリンクリソース情報を含み得る。アップリンクリソース情報は、アップリンク時間−周波数リソース及び／又は第２のアップリンクビームペアセットに関する情報を含む。第２のアップリンクビームペアセットは、第１のアップリンクビームペアセットとは異なるビームペアセットであり得るし、第１のアップリンクビームペアセットと同じビームペアセットであり得るし、又は第１のアップリンクビームペアセット内のいくつかのアップリンクビームペアを含むセットであり得る。
【０１９０】
４０９ｃ．ＵＥは、アップリンクリソース情報に基づいて時点ｎ＋ｋ＋ｋ１＋ｋ２＋ｋ３において基地局へ第１の測定結果を送信する。
【０１９１】
ターゲットダウンリンクビームペアセットを決定した後、ＵＥは、ステップ４０６ｃにおいて決定されたターゲットアップリンクビームペアを用いて第３のアップリンクチャネル上で、ターゲットダウンリンクビームペアに関する情報を含む第１の測定結果を基地局へ送信し得る。この方法においては、第１の測定結果を受信した後、基地局は、ターゲットダウンリンクビームペアに関する情報を知って、ターゲットダウンリンクビームペアを用いてその後の通信においてＵＥと通信し得る。
【０１９２】
本発明のこの実施形態におけるステップ４０５ｃからステップ４０９ｃにおける特定の説明に関しては、本発明のこの実施形態におけるその他のステップにおける対応するコンテンツの特定の説明を参照されたいことに留意されたい。本発明のこの実施形態においては、詳細がここで再び記述されることはない。
【０１９３】
４０５ｄ．ＵＥは、第１のダウンリンク信号が時点ｎ＋ｋにおいて検出されないと判定し、ＵＥは、第２のアップリンクチャネルを通じて第２のアップリンクビームペアセットを用いて時点ｎ＋ｋ＋ｋ１において基地局へ第１のアップリンク信号を再送する。
【０１９４】
基地局が第１のアップリンク信号を検出しないとき、基地局は、応答情報、即ち、第１のダウンリンク信号をＵＥへ返さない。このケースにおいては、ＵＥは、第１のダウンリンク信号が時点ｎ＋ｋにおいて検出されないと判定し、ＵＥは、第２のアップリンクチャネルを通じて第２のアップリンクビームペアセットを用いて時点ｎ＋ｋ＋ｋ１において基地局へ第１のアップリンク信号を再送し得る。第１のアップリンク信号は第２のタイプであると想定される。具体的には、第１のアップリンク信号は、第１のターゲットダウンリンクビームペアセットに関する情報を含む。
【０１９５】
例えば、第２のアップリンクビームペアセット内の各第２のアップリンクビームペアのビーム情報は、ＵＥにおいて事前に設定される。この方法においては、各第２のアップリンクビームペアに関して、ＵＥは、第２のアップリンクチャネルを通じて第２のアップリンクビームペアを用いて第２のアップリンクビームペアの事前に設定されるビーム情報に基づいて基地局へ第１のアップリンク信号を再送し得る。
【０１９６】
４０６ｄ．基地局は、第２のアップリンクチャネルを通じて第２のアップリンクビームペアセットを用いてＵＥにより送信された第１のアップリンク信号を検出して、第２の検出結果を取得し、第２の検出結果に基づいてターゲットアップリンクビームペアセットを決定する。
【０１９７】
第２のアップリンクビームペアセット内の各第２のアップリンクビームペアに関して、基地局は、第２のアップリンクチャネルを通じて第２のアップリンクビームペアを用いてＵＥにより送信された第１のアップリンク信号を検出して、第２の検出結果を取得し得る。このケースにおいては、基地局は、第２の検出結果に基づいて第２のアップリンクビームペアセット及び／又は他のアップリンクビームペアセットからさらに良好なアップリンクビームペアを選択し、選択されたアップリンクビームペアをターゲットアップリンクビームペアとして使用し得る。１つ又は複数の決定されたターゲットアップリンクビームペアがあり得る。
【０１９８】
４０７ｄ．基地局は、第１のダウンリンクチャネルを通じて第１のターゲットダウンリンクビームペアセットを用いてＵＥへ第１のダウンリンク信号を送信する。
【０１９９】
基地局が第１のアップリンク信号を検出し、かつ検出された第１のアップリンク信号が第２のタイプであるとき、基地局は、第１のダウンリンクビームペアに関する情報が無効であることを知り得るし、ＵＥによって推奨されるダウンリンクビームペアに関する情報、即ち、第１のターゲットダウンリンクビームペアに関する情報を知り得る。このケースにおいては、基地局は、第１のターゲットダウンリンクビームペアを用いて第１のダウンリンクチャネル上でＵＥへ第１のダウンリンク信号を送信し得る。例えば、図８において示されるように、基地局は、ダウンリンクビームペア＜Ｂ４，Ｂ４’＞を用いて第１のダウンリンクチャネル上でＵＥへ第１のダウンリンク信号を送信する。第１のダウンリンク信号は、第２のターゲットアップリンクビームペアセットに関する情報を含む。
【０２００】
４０８ｄ．ＵＥは、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の検出結果を取得する。
【０２０１】
ＵＥは、第１のダウンリンクチャネルを通じて第１のターゲットダウンリンクビームペアセットを用いて基地局により送信された第１のダウンリンク信号を時点ｎ＋ｋ＋ｋ１＋ｋ２において検出して、第１の検出結果を取得し得る。加えて、さらにＵＥは、第１の検出結果に基づいて第１のターゲットダウンリンクビームペアセット及び／又は他のダウンリンクビームペアセットからさらに良好なダウンリンクビームペアセットを選択し、選択されたダウンリンクビームペアセットを第２のターゲットダウンリンクビームペアセットとして使用し得る。決定された第２のターゲットダウンリンクビームペアセットは、少なくとも１つのターゲットダウンリンクビームペアを含み得る。ＵＥによって決定された第２のターゲットダウンリンクビームペアセットに含まれるダウンリンクビームペアは、第２のダウンリンクビームペアセットに属すこともあり、又は第２のダウンリンクビームペアセットに属しないこともある。
【０２０２】
例えば、ステップ４０８ｄは、３つの様式で実施され得る。
【０２０３】
第１の可能な実装においては、第１のダウンリンク信号は、ダウンリンク制御チャネル（ＮＲ−ＰＤＣＣＨ）であり、ダウンリンク制御チャネルは、第１の測定パイロットの構成情報を含む。ＵＥは、第１のターゲットダウンリンクビームペアセットに基づいて時点ｎ＋ｋ＋ｋ１＋ｋ２においてダウンリンク制御チャネル上でブラインド検出を実行して、第１の測定結果を取得し得る。第２のダウンリンクビームペアセットは、ビーム回復のために使用される事前に設定されるビームペアセットであり、第１のターゲットダウンリンクビームペアセットは、第１のダウンリンクビームペアセットとは異なる。
【０２０４】
ＵＥが第１のターゲットダウンリンクビームペアセットに基づいて時点ｎ＋ｋ＋ｋ１＋ｋ２においてダウンリンク制御チャネル上でブラインド検出を実行して、第１の測定結果を取得することは、具体的には下記の通りであり得る。ＵＥは、第１の測定パイロットの構成情報に基づいて時点ｎ＋ｋ＋ｋ１＋ｋ２において第１の測定パイロットを測定して、第１の検出結果を取得する。第１の測定パイロットは、ビーム測定パイロットであり、第１の測定結果は、第２のターゲットダウンリンクビームペアセットに関する情報である。
【０２０５】
第２の可能な実装においては、第１のダウンリンク信号は、第１の測定パイロットであり、第１の測定パイロットの構成情報は、ＵＥにおいて事前に設定される。ＵＥは、第１のターゲットダウンリンクビームペアセットに基づいて時点ｎ＋ｋ＋ｋ１＋ｋ２においてダウンリンク制御チャネル上でブラインド検出を実行して、第１の測定結果を取得し得る。第１のターゲットダウンリンクビームペアセットは、ビーム回復のために使用される事前に設定されるビームペアセットであり、第１のターゲットダウンリンクビームペアセットは、第１のダウンリンクビームペアセットとは異なる。
【０２０６】
ＵＥが第１のターゲットダウンリンクビームペアセットに基づいて時点ｎ＋ｋ＋ｋ１＋ｋ２においてダウンリンク制御チャネル上でブラインド検出を実行して、第１の測定結果を取得することは、具体的には下記の通りであり得る。ＵＥは、第１の測定パイロットの構成情報に基づいて第１の測定パイロットを測定して、第１の検出結果を取得する。第１の測定パイロットは、ビーム測定パイロットであり、第１の測定結果は、第２のターゲットダウンリンクビームペアセットに関する情報である。
【０２０７】
第３の可能な実装においては、第１のダウンリンク信号は、ダウンリンク制御チャネル（ＮＲ−ＰＤＣＣＨ）である。ＵＥは、ダウンリンク制御チャネル上の検出に基づいて時点ｎ＋ｋ＋ｋ１＋ｋ２において第１の測定結果を取得し得る。第１の測定結果は、第２のターゲットダウンリンクビームペアセットに関する情報である。
【０２０８】
４０９ｄ．ＵＥは、アップリンクリソース情報に基づいて時点ｎ＋ｋ＋ｋ１＋ｋ２＋ｋ３において基地局へ第１の測定結果を送信する。
【０２０９】
例えば、図８において示されるように、基地局により決定されたターゲットアップリンクビームペアが＜Ｂ５，Ｂ５’＞であると想定すると、ＵＥは、ターゲットアップリンクビームペア＜Ｂ５，Ｂ５’＞を用いてアップリンクリソース情報に基づいて基地局へ第１の測定結果を送信し得る。
【０２１０】
加えて、本発明のこの実施形態においては、第１のアップリンクチャネルは、周期的なＰＵＣＣＨであり、周期的なＰＵＣＣＨは、ＨＡＲＱ、ＣＳＩ情報、ビーム情報、及びＳＲ情報などの情報を送るためにさらに使用される。第２のアップリンクチャネルは、ビーム回復のために特に使用される事前に設定されるアップリンクチャネルであり、第２のアップリンクチャネルのために設定されるアップリンクビームは、アップリンクビーム回復のために特に使用されるビームペアであり、第１のアップリンクチャネルのために設定されるアップリンクビームペアとは異なる（第１のビームペアは、周期的なアップリンク制御チャネルのために設定されるビームペアである）。第２のアップリンクチャネルは、ＲＡＣＨと同じタイムスロットにおけるチャネルである。
【０２１１】
本発明のこの実施形態におけるステップ４０５ｄからステップ４０９ｄにおける特定のコンテンツの対応する説明に関しては、本発明のこの実施形態におけるその他のステップにおける対応するコンテンツの特定の説明を参照されたいことに留意されたい。本発明のこの実施形態においては、詳細がここで再び記述されることはない。加えて、本発明のこの実施形態におけるｎ、ｋ、ｋ１、ｋ２、ｋ３、及びｋ４はそれぞれ、正の整数である。
【０２１２】
加えて、本発明のこの実施形態においては、ＵＥが時点ｎ＋ｋにおいて第１のダウンリンク信号を検出しないとき、ＵＥは、時点ｎ＋ｋ＋ｋ１において基地局へ第１のアップリンク信号を再送して、第１のダウンリンクビームペアセットが無効であることを基地局に通知することに留意されたい。もちろん、第１のダウンリンクビームペアセットが無効であることを検出したとき、ＵＥは、第２のアップリンクチャネルを通じて第２のアップリンクビームペアセットを用いて時点ｎにおいて基地局へ第１のアップリンク信号を送信し得る。
【０２１３】
本発明のこの実施形態において提供されるリンク再確立方法においては、第１のダウンリンクビームペアセットが無効であることを検出したとき、ＵＥは、第１のアップリンクチャネルを通じて第１のアップリンクビームペアセットを用いて時点ｎにおいて基地局へ、第１のダウンリンクビームペアセットが無効であることを基地局に通知するために使用される第１のアップリンク信号を送信し、第１のダウンリンクチャネルを通じて第２のダウンリンクビームペアセットを用いて基地局により送信された第１のダウンリンク信号を時点ｎ＋ｋにおいて検出して、第１の検出結果を取得し、第１のダウンリンク信号は、基地局が第１のアップリンク信号を受信するということを知らせるために使用される。ＵＥは、第１のダウンリンクビームペアセットが無効であることを基地局に通知するために使用される第１のアップリンク信号を基地局へ送信し、それによって基地局は、第１のダウンリンクチャネルを通じて第２のダウンリンクビームペアセットを用いて第１のダウンリンク信号を送信することができる。この方法においては、障害物に起因してデータが送られ続けることができないために基地局とＵＥとの間における通信のプロセスにおいて通信が中断されるという問題を解決するために、基地局とＵＥとの間における交渉を通じてリンクが回復されることができる。
【０２１４】
前述の内容は、主として、本発明の実施形態において提供されるソリューションについて、ネットワーク要素間における対話という観点から記述する。前述の機能を実施するために、各ネットワーク要素、例えば、基地局又はＵＥは、それらの機能を実行するための対応するハードウェア構造及び／又はソフトウェアモジュールを含むことが理解され得る。本明細書において開示される実施形態に関連して記述される例におけるアルゴリズムステップは、本発明においては、ハードウェア、又はハードウェアとコンピュータソフトウェアとの組合せによって実施されることができることに当業者なら容易に気づくはずである。機能がハードウェアによって実行されるか、又はハードウェアを駆動するコンピュータソフトウェアによって実行されるかは、技術的なソリューションの個別の用途及び設計制約条件に依存する。当業者なら、記述される機能をそれぞれ個別の用途のために実装する目的で様々な方法を使用し得るが、その実装は本発明の範囲を超えるものとみなされるべきではない。
【０２１５】
本発明の実施形態においては、基地局及びＵＥは、前述の方法の例に従って機能モジュールへと区分され得る。例えば、各機能モジュールが各機能のための区分を通じて取得され得るし、又は２つ以上の機能が統合されて１つの処理モジュールになり得る。その統合されたモジュールは、ハードウェアの形態で実装され得るし、又はソフトウェア機能モジュールの形態で実装され得る。本発明の実施形態におけるモジュールの区分は例であり、論理的な機能区分にすぎないことに留意されたい。実際の実施中には、他の区分様式があり得る。
【０２１６】
各機能モジュールが、各機能のための区分を通じて取得されるとき、図９は、前述の実施形態におけるＵＥの可能な概略構成図である。図９において示されるように、ＵＥは、送信ユニット５１及び検出ユニット５２を含み得る。
【０２１７】
送信ユニット５１は、図４Ａにおいて示される方法におけるステップ４０３及び４０７ａ、図４Ｂにおいて示される方法におけるステップ４０３、図４Ｃにおいて示される方法におけるステップ４０３、４０５ｃ、及び４０９ｃ、並びに図４Ｄにおいて示される方法におけるステップ４０３、４０５ｄ、及び４０９ｄを実行する際にＵＥをサポートするように構成される。
【０２１８】
検出ユニット５２は、図４Ａにおいて示される方法におけるステップ４０２及び４０６ａ、図４Ｂにおいて示される方法におけるステップ４０２及び４０６ｂ、図４Ｃにおいて示される方法におけるステップ４０２及び４０８ｃ、並びに図４Ｄにおいて示される方法におけるステップ４０２及び４０８ｄを実行する際にＵＥをサポートするように構成される。
【０２１９】
本発明のこの実施形態においては、さらに、図９において示されるように、ＵＥは、通信ユニット５３を含み得る。
【０２２０】
通信ユニット５３は、図４Ａ、図４Ｂ、図４Ｃ、及び図４Ｄにおいて示される方法における基地局とＵＥとの間における通信のための処理を実行する際にＵＥをサポートするように構成される。
【０２２１】
前述の方法実施形態におけるステップの全ての関連したコンテンツは、対応する機能モジュールの機能説明において引用され得ることに留意されたい。詳細がここで再び記述されることはない。
【０２２２】
本発明のこの実施形態において提供されるＵＥは、前述のリンク再確立方法を実行するように構成され、従って前述のリンク再確立方法の効果と同じ効果が達成されることができる。
【０２２３】
統合されたユニットが使用されるとき、図１０は、前述の実施形態におけるＵＥの他の可能な概略構成図である。図１０において示されるように、ＵＥは、処理モジュール６１及び通信モジュール６２を含む。
【０２２４】
処理モジュール６１は、ＵＥの動作を制御及び管理するように構成される。例えば、処理モジュール６１は、図４Ａにおいて示される方法におけるステップ４０２及び４０６ａ、図４Ｂにおいて示される方法におけるステップ４０２及び４０６ｂ、図４Ｃにおいて示される方法におけるステップ４０２及び４０８ｃ、並びに図４Ｄにおいて示される方法におけるステップ４０２及び４０８ｄを実行する際に、及び／又は本明細書において記述される技術の他のプロセスを実行する際にＵＥをサポートするように構成される。
【０２２５】
通信モジュール６２は、ＵＥと他のネットワークエンティティとの間における通信、例えば、ＵＥと、図１、図２、図１１、又は図１２において示される機能モジュール又はネットワークエンティティとの間における通信をサポートするように構成される。例えば、通信モジュール６２は、図４Ａにおいて示される方法におけるステップ４０３及び４０７ａ、図４Ｂにおいて示される方法におけるステップ４０３、図４Ｃにおいて示される方法におけるステップ４０３、４０５ｃ、及び４０９ｃ、並びに図４Ｄにおいて示される方法におけるステップ４０３、４０５ｄ、及び４０９ｄを実行する際にＵＥをサポートするように構成される。ＵＥは、ＵＥのプログラムコード及びデータを格納するように構成されるストレージモジュール６３をさらに含み得る。
【０２２６】
処理モジュール６１は、プロセッサ又はコントローラであり得る。処理モジュール６１は、本発明において開示されるコンテンツに関連して記述される様々な例示的な論理ブロック、モジュール、及び回路を実施又は実行し得る。プロセッサはまた、コンピューティング機能を実施する組合せ、例えば、１つ又は複数のマイクロプロセッサの組合せ、又はＤＳＰとマイクロプロセッサとの組合せであり得る。通信モジュール６２は、トランシーバ、トランシーバ回路、通信インターフェースなどであり得る。ストレージモジュール６３は、メモリであり得る。
【０２２７】
処理モジュール６１がプロセッサであり、通信モジュール６２がトランシーバであり、ストレージモジュール６３がメモリであるとき、本発明のこの実施形態におけるＵＥは、図３において示されるＵＥであり得る。
【０２２８】
各機能モジュールが、各機能のための区分を通じて取得されるとき、図１１は、前述の実施形態における基地局の可能な概略構成図である。図１１において示されるように、基地局は、検出ユニット７１及び送信ユニット７２を含み得る。
【０２２９】
検出ユニット７１は、図４Ａにおいて示される方法におけるステップ４０４、図４Ｂにおいて示される方法におけるステップ４０４、図４Ｃにおいて示される方法におけるステップ４０４及び４０６ｃ、並びに図４Ｄにおいて示される方法におけるステップ４０４及び４０６ｄを実行する際に基地局をサポートするように構成される。
【０２３０】
送信ユニット７２は、図４Ａにおいて示される方法におけるステップ４０１及び４０５ａ、図４Ｂにおいて示される方法におけるステップ４０１及び４０５ｂ、図４Ｃにおいて示される方法におけるステップ４０１及び４０７ｃ、並びに図４Ｄにおいて示される方法におけるステップ４０１及び４０７ｄを実行する際に基地局をサポートするように構成される。
【０２３１】
さらに、図１１において示されるように、基地局は、受信ユニット７３を含み得る。
【０２３２】
受信ユニット７３は、図４Ａ、図４Ｂ、図４Ｃ、及び図４Ｄにおいて示される方法における受信処理を実行する際に基地局をサポートするように構成される。
【０２３３】
前述の方法実施形態におけるステップの全ての関連したコンテンツは、対応する機能モジュールの機能説明において引用され得ることに留意されたい。詳細がここで再び記述されることはない。
【０２３４】
本発明のこの実施形態において提供される基地局は、前述のリンク回復方法を実行するように構成され、従って前述のリンク回復方法の効果と同じ効果が達成されることができる。
【０２３５】
統合されたユニットが使用されるとき、図１２は、前述の実施形態における基地局の他の可能な概略構成図である。図１１において示されるように、基地局は、処理モジュール８１及び通信モジュール８２を含む。
【０２３６】
処理モジュール８１は、基地局の動作を制御及び管理するように構成される。例えば、処理モジュール８１は、図４Ａにおいて示される方法におけるステップ４０４、図４Ｂにおいて示される方法におけるステップ４０４、図４Ｃにおいて示される方法におけるステップ４０４及び４０６ｃ、並びに図４Ｄにおいて示される方法におけるステップ４０４及び４０６ｄを実行する際に基地局をサポートするように構成される。
【０２３７】
通信モジュール８２は、基地局と他のネットワークエンティティとの間における通信、例えば、基地局と、図１、図３、図９、又は図１０において示される機能モジュール又はネットワークエンティティとの間における通信をサポートするように構成される。例えば、通信モジュール８２は、図４Ａにおいて示される方法におけるステップ４０１及び４０５ａ、図４Ｂにおいて示される方法におけるステップ４０１及び４０５ｂ、図４Ｃにおいて示される方法におけるステップ４０１及び４０７ｃ、並びに図４Ｄにおいて示される方法におけるステップ４０１及び４０７ｄを実行する際に基地局をサポートするように構成される。基地局は、基地局のプログラムコード及びデータを格納するように構成されるストレージモジュール８３をさらに含み得る。
【０２３８】
処理モジュール８１は、プロセッサ又はコントローラであり得る。処理モジュール８１は、本発明において開示されるコンテンツに関連して記述される様々な例示的な論理ブロック、モジュール、及び回路を実装又は実行し得る。プロセッサはまた、コンピューティング機能を実装する組合せ、例えば、１つ又は複数のマイクロプロセッサの組合せ、又はＤＳＰとマイクロプロセッサとの組合せであり得る。
【０２３９】
通信モジュール８２は、トランシーバ、トランシーバ回路、通信インターフェースなどであり得る。ストレージモジュール８３は、メモリであり得る。
【０２４０】
処理モジュール８１がプロセッサであり、通信モジュール８２がトランシーバであり、ストレージモジュール８３がメモリであるとき、本発明のこの実施形態における基地局は、図２において示される基地局であり得る。
【０２４１】
本出願の実施形態は、他のリンク再確立方法をさらに提供する。この方法は、ＵＥによって、第１のダウンリンクビームペアセットが無効であることを検出したとき、第１のアップリンクチャネルを通じて第１のアップリンクビームペアセットを用いて時点ｎにおいて基地局へ第１のアップリンク信号を送信するステップであって、第１のアップリンク信号は、第１のダウンリンクビームペアセットが無効であることを基地局に通知するために使用される、ステップと、ＵＥによって、第１のダウンリンクチャネルを通じて第２のダウンリンクビームペアセットを用いて基地局により送信された第１のダウンリンク信号を時点ｎ＋ｋにおいて検出して、第１の検出結果を取得するステップであって、第１のダウンリンク信号は、基地局が第１のアップリンク信号を受信するということを知らせるために使用される、ステップとを含む。
【０２４２】
さらに、任意選択で、本出願のいくつかの実施形態においては、第１のダウンリンク信号は、第１のアップリンク信号に含まれるコンテンツに基づいて決定される。
【０２４３】
さらに、任意選択で、本出願のいくつかの実施形態においては、第１のアップリンク信号は、ビーム失敗報告又はビーム回復要求であり、第１のアップリンク信号は、第１のターゲットダウンリンクビームペアセットに関する情報を含み、第２のダウンリンクビームペアセットは、第１のターゲットダウンリンクビームペアセットであり、第１のダウンリンク信号は、ダウンリンク制御チャネルＮＲ−ＰＤＣＣＨ又は第１の測定パイロットである。ＵＥによって、第１のダウンリンクチャネルを通じて第２のダウンリンクビームペアセットを用いて基地局により送信された第１のダウンリンク信号を時点ｎ＋ｋにおいて検出して、第１の検出結果を取得するステップは、ＵＥによって、第１のターゲットダウンリンクビームペアセットに基づいて時点ｎ＋ｋにおいてダウンリンク制御チャネル上でブラインド検出を実行して、第１の検出結果を取得するステップであって、第１のターゲットダウンリンクビームペアセットは、第１のダウンリンクビームペアセットとは異なり、第１のターゲットダウンリンクビームペアセットは、ダウンリンクビームを含む、ステップを含み得る。
【０２４４】
実装についての前述の説明によって、当業者は、前述の機能モジュールの区分が、便利で簡潔な説明の目的で例示のための例として採用されるにすぎないことを理解することができる。実際の適用中に、前述の機能は、別々の機能モジュールに割り当てられて要件に従って実施されることができ、即ち、上述の機能のうちの全て又はいくつかを実施するために装置の内部構造が別々の機能モジュールへと区分される。
【０２４５】
本出願において提供されるいくつかの実施形態においては、開示される装置及び方法がその他の様式で実施され得ることを理解されたい。例えば、記述される装置実施形態は、例にすぎない。例えば、モジュール又はユニットの区分は、論理的な機能区分にすぎず、実際の実施中にはその他の区分であってもよい。例えば、複数のユニット若しくはコンポーネントが組み合わされて若しくは統合されて他の装置になってもよく、又はいくつかの機能が無視されてもよく、若しくは実行されなくてもよい。加えて、表示される又は論じられる相互の結合又は直接の結合又は通信接続は、いくつかのインターフェースを用いて実施され得る。装置又はユニット間における間接的な結合又は通信接続は、電気的な形態、機械的な形態、又はその他の形態で実施され得る。
【０２４６】
別々の部分として記述されるユニットは、物理的に別々であってもよく、又は物理的に別々でなくてもよく、ユニットとして表示される部分は、１つ又は複数の物理的なユニットであってもよく、１つの場所に配置されてもよく、又は別々の場所に分散されてもよい。ユニットのうちのいくつか又は全ては、実施形態のソリューションの目的を達成するために実際のニーズに従って選択され得る。
【０２４７】
加えて、本発明の実施形態における機能ユニットが統合されて１つの処理ユニットになってもよく、又はそれらのユニットのそれぞれが物理的に単独で存在してもよく、又は２つ以上のユニットが統合されて１つのユニットになる。その統合されたユニットは、ハードウェアの形態で実装されてもよく、又はソフトウェア機能ユニットの形態で実装されてもよい。
【０２４８】
統合されたユニットがソフトウェア機能ユニットの形態で実装されて、独立した製品として販売又は使用されるとき、その統合されたユニットは、可読ストレージ媒体内に格納され得る。そのような理解に基づいて、本質的に本発明の実施形態における技術的なソリューション、又は従来技術に貢献する部分、又はそれらの技術的なソリューションの全て若しくはいくつかが、ソフトウェア製品の形態で実装され得る。そのソフトウェア製品は、ストレージ媒体内に格納され、本発明の実施形態において記述される方法のステップのうちの全て又はいくつかをデバイス（これは、シングルチップマイクロコンピュータ、チップなどであり得る）又はプロセッサ（ｐｒｏｃｅｓｓｏｒ）が実行することを可能にするためのいくつかの命令を含む。前述のストレージ媒体は、ＵＳＢフラッシュドライブ、取り外し可能なハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクなど、プログラムコードを格納することができる任意の媒体を含む。
【０２４９】
前述の説明は、本発明の特定の実装にすぎず、本発明の保護範囲を限定することを意図されるものではない。本発明の技術的な範囲内で開示されるいかなる変形形態又は代替形態も、本発明の保護範囲内に収まるものとする。従って、本発明の保護範囲は、特許請求の範囲の保護範囲に従うものとする。
【図１】
0006968189.tif 000002
【図２】
0006968189.tif 000003
【図３】
0006968189.tif 000004
【図４Ａ】
0006968189.tif 000005
【図４Ｂ】
0006968189.tif 000006
【図４Ｃ】
0006968189.tif 000007
【図４Ｄ】
0006968189.tif 000008
【図４Ｅ】
0006968189.tif 000009
【図５】
0006968189.tif 000010
【図６】
0006968189.tif 000011
【図７】
0006968189.tif 000012
【図８】
0006968189.tif 000013
【図９】
0006968189.tif 000014
【図１０】
0006968189.tif 000015
【図１１】
0006968189.tif 000016
【図１２】
0006968189.tif 000017